(57)【要約】【課題】包装貨幣作成部により作成される包装貨幣の数を適正なものとすることができ、よって包装貨幣収納部に収納される包装貨幣の数が過少や過多となってしまうことを防止することができる貨幣処理装置、貨幣処理システムおよび貨幣処理方法を提供する。【解決手段】投入部（例えば、投入部１４や硬貨投入口１２１）により筐体１１、１１２の内部に投入されたバラ貨幣（例えば、バラ紙幣やバラ硬貨）の一部を包装貨幣作成部（例えば、帯封部４２や包装部１６０）に送ることにより当該包装貨幣作成部において包装貨幣（例えば、帯封紙幣や包装硬貨）を作成させ、作成された包装貨幣を包装貨幣収納部（例えば、各帯封紙幣収納部７０や包装硬貨収納ユニット２００の各収納トレイ２４０）に収納させ、また、残りのバラ貨幣をバラ貨幣収納部（例えば、各バラ紙幣収納部３２や各収納繰出部１５２）に収納させる。【選択図】図１１
2017102567.tif 000002
【特許請求の範囲】
【請求項１】
バラ貨幣を筐体の内部に投入するための投入部と、
複数のバラ貨幣から包装貨幣を作成する包装貨幣作成部と、
前記投入部および前記包装貨幣作成部にそれぞれ接続され、筐体内でバラ貨幣を搬送する搬送部と、
前記搬送部に接続され、バラ貨幣を収納するバラ貨幣収納部と、
前記包装貨幣作成部により作成された包装貨幣を収納する包装貨幣収納部と、
前記投入部により前記筐体の内部に投入されたバラ貨幣の一部を前記包装貨幣作成部に送ることにより当該包装貨幣作成部において包装貨幣を作成させ、作成された包装貨幣を前記包装貨幣収納部に収納させ、また、残りのバラ貨幣を前記バラ貨幣収納部に収納させるよう前記搬送部および前記包装貨幣作成部を制御する制御部と、
を備えた、貨幣処理装置。
【請求項２】
前記包装貨幣作成部により作成されるべき包装貨幣の金種毎の数に係る情報を受け付ける受付手段を更に備え、
前記制御部は、前記受付手段により受け付けられた情報における包装貨幣の金種毎の数に相当する数のバラ貨幣を前記包装貨幣作成部に送り、当該情報における包装貨幣の金種毎の数を超える分のバラ貨幣を前記バラ貨幣収納部に送るよう前記搬送部を制御する、請求項１記載の貨幣処理装置。
【請求項３】
前記包装貨幣収納部における金種毎の包装貨幣の設定収納数が予め設定されており、
前記包装貨幣収納部に収納されている金種毎の包装貨幣の数が前記設定収納数に満たない場合に両者の差に係る金種毎の包装貨幣の収納可能数を報知する報知部が設けられている、請求項２記載の貨幣処理装置。
【請求項４】
前記包装貨幣収納部における金種毎の包装貨幣の設定収納数が予め設定されており、
前記包装貨幣作成部により作成されるべき包装貨幣の金種毎の数に係る情報が前記受付手段により受け付けられたときに、前記包装貨幣収納部に収納されている金種毎の包装貨幣の数と、前記受付手段により受け付けられた情報における包装貨幣の金種毎の数との合計が前記設定収納数を超える場合に警告を発する警報部が設けられている、請求項２記載の貨幣処理装置。
【請求項５】
前記制御部は、前記包装貨幣作成部により包装貨幣が作成されるべきバラ貨幣が、前記投入部からまず前記バラ貨幣収納部に送られ、次に当該バラ貨幣収納部から前記包装貨幣作成部に送られるよう前記搬送部を制御するようになっている、請求項１乃至４のいずれか一項に記載の貨幣処理装置。
【請求項６】
前記包装貨幣収納部における金種毎の包装貨幣の設定収納数が予め設定されており、
前記制御部は、前記包装貨幣収納部に収納されている金種毎の包装貨幣の数が前記設定収納数に達するまでは前記投入部により前記筐体の内部に投入されたバラ貨幣を前記包装貨幣作成部に送り、前記包装貨幣収納部に収納されている金種毎の包装貨幣の数が前記設定収納数に達した金種のバラ貨幣が前記投入部により前記筐体の内部に投入されたときに当該バラ貨幣を前記バラ貨幣収納部に送るよう前記搬送部を制御する、請求項１記載の貨幣処理装置。
【請求項７】
バラ貨幣を筐体の内部に投入するための投入部、複数のバラ貨幣から包装貨幣を作成する包装貨幣作成部、前記投入部および前記包装貨幣作成部にそれぞれ接続され、筐体内でバラ貨幣を搬送する搬送部、前記搬送部に接続され、バラ貨幣を収納するバラ貨幣収納部、および前記包装貨幣作成部により作成された包装貨幣を収納する包装貨幣収納部を有する貨幣処理装置と、
前記貨幣処理装置とは別に設けられ、当該貨幣処理装置の管理を行う管理装置と、
を備えた貨幣処理システムであって、
前記貨幣処理装置の前記投入部により前記筐体の内部に投入されたバラ貨幣の一部を前記包装貨幣作成部に送ることにより当該包装貨幣作成部において包装貨幣を作成させ、作成された包装貨幣を前記包装貨幣収納部に収納させ、また、残りのバラ貨幣を前記バラ貨幣収納部に収納させるよう前記搬送部および前記包装貨幣作成部を制御する制御部を備えた、貨幣処理システム。
【請求項８】
前記制御部は前記管理装置に設けられている、請求項７記載の貨幣処理システム。
【請求項９】
バラ貨幣を筐体の内部に投入する工程と、
前記筐体の内部に投入されたバラ貨幣の一部を包装貨幣作成部に送ることにより当該包装貨幣作成部で包装貨幣を作成させ、作成された包装貨幣を包装貨幣収納部に収納させる工程と、
前記筐体の内部に投入された残りのバラ貨幣をバラ貨幣収納部に収納させる工程と、
を備えた、貨幣処理方法。
【発明の詳細な説明】
【技術分野】
【０００１】
本発明は、紙幣や硬貨等からなる貨幣の少なくとも装填処理を行う貨幣処理装置、このような貨幣処理装置を備えた貨幣処理システムおよびこのような貨幣処理装置による貨幣処理方法に関する。
【背景技術】
【０００２】
入金口により筐体の内部に投入されたバラ紙幣を識別部により識別して金種毎にバラ紙幣収納庫に収納したり、指定された金種のバラ紙幣をバラ紙幣収納庫から繰り出して出金口により筐体の外部に投出したりするような紙幣入出金処理装置として、従来から様々なタイプのものが知られている（例えば、特許文献１等参照）。特許文献１に開示される紙幣入出金処理装置では、バラ紙幣収納庫から繰り出されたバラ紙幣を結束紙幣用集積部に送り、この結束紙幣用集積部に集積された所定枚数（例えば、１００枚）のバラ紙幣を結束紙により結束して結束紙幣を作成し、作成された結束紙幣を結束紙幣収納庫に収納したり筐体の外部に投出したりすることができるようになっている。
【先行技術文献】
【特許文献】
【０００３】
【特許文献１】特許第３６９６３４４号
【発明の概要】
【発明が解決しようとする課題】
【０００４】
特許文献１に開示されるような従来の紙幣入出金処理装置では、バラ紙幣収納庫に収納されているバラ紙幣の数が所定量を超えると、当該バラ紙幣収納庫からバラ紙幣を繰り出して結束紙幣用集積部に送り、この結束紙幣用集積部に集積された所定枚数のバラ紙幣を結束紙により結束して結束紙幣を作成するようになっている。また、従来の紙幣入出金処理装置では、バラ紙幣の装填処理を行う際に指定された金種のバラ紙幣を入金口から結束紙幣用集積部に直接送ってこの結束紙幣用集積部に集積された所定枚数のバラ紙幣を結束紙により結束して結束紙幣を作成することができるようになっている。しかしながら、このような紙幣入出金処理装置では、バラ紙幣収納庫に収納されているバラ紙幣の数が所定量を超えないと筐体の内部にあるバラ紙幣から結束紙幣が作成されないため、筐体の内部にある程度の量のバラ紙幣があるにもかかわらず筐体内で収納される結束紙幣の数が不足してしまうおそれがある。また、バラ紙幣の装填処理を行う際に結束を行うバラ紙幣の金種を指定した場合には、指定された金種のバラ紙幣が全て入金口から結束紙幣用集積部に送られるため、作成される結束紙幣の数が過多となってしまうおそれがある。
【０００５】
本発明は、このような点を考慮してなされたものであり、包装貨幣作成部により作成される包装貨幣の数を適正なものとすることができ、よって包装貨幣収納部に収納される包装貨幣の数が過少や過多となってしまうことを防止することができる貨幣処理装置、貨幣処理システムおよび貨幣処理方法を提供することを目的とする。
【課題を解決するための手段】
【０００６】
本発明の貨幣処理装置は、バラ貨幣を筐体の内部に投入するための投入部と、複数のバラ貨幣から包装貨幣を作成する包装貨幣作成部と、前記投入部および前記包装貨幣作成部にそれぞれ接続され、筐体内でバラ貨幣を搬送する搬送部と、前記搬送部に接続され、バラ貨幣を収納するバラ貨幣収納部と、前記包装貨幣作成部により作成された包装貨幣を収納する包装貨幣収納部と、前記投入部により前記筐体の内部に投入されたバラ貨幣の一部を前記包装貨幣作成部に送ることにより当該包装貨幣作成部において包装貨幣を作成させ、作成された包装貨幣を前記包装貨幣収納部に収納させ、また、残りのバラ貨幣を前記バラ貨幣収納部に収納させるよう前記搬送部および前記包装貨幣作成部を制御する制御部と、を備えたことを特徴とする。
【０００７】
このような貨幣処理装置によれば、投入部により筐体の内部に投入されたバラ貨幣の一部を包装貨幣作成部に送ることにより当該包装貨幣作成部において包装貨幣を作成させ、作成された包装貨幣を包装貨幣収納部に収納させ、また、残りのバラ貨幣をバラ貨幣収納部に収納させることにより、包装貨幣作成部により作成される包装貨幣の数を適正なものとすることができ、よって包装貨幣収納部に収納される包装貨幣の数が過少や過多となってしまうことを防止することができる。
【０００８】
本発明の貨幣処理装置は、前記包装貨幣作成部により作成されるべき包装貨幣の金種毎の数に係る情報を受け付ける受付手段を更に備え、前記制御部は、前記受付手段により受け付けられた情報における包装貨幣の金種毎の数に相当する数のバラ貨幣を前記包装貨幣作成部に送り、当該情報における包装貨幣の金種毎の数を超える分のバラ貨幣を前記バラ貨幣収納部に送るよう前記搬送部を制御するようになっていてもよい。
【０００９】
この場合、前記包装貨幣収納部における金種毎の包装貨幣の設定収納数が予め設定されており、前記包装貨幣収納部に収納されている金種毎の包装貨幣の数が前記設定収納数に満たない場合に両者の差に係る金種毎の包装貨幣の収納可能数を報知する報知部が設けられていてもよい。
【００１０】
また、前記包装貨幣収納部における金種毎の包装貨幣の設定収納数が予め設定されており、前記包装貨幣作成部により作成されるべき包装貨幣の金種毎の数に係る情報が前記受付手段により受け付けられたときに、前記包装貨幣収納部に収納されている金種毎の包装貨幣の数と、前記受付手段により受け付けられた情報における包装貨幣の金種毎の数との合計が前記設定収納数を超える場合に警告を発する警報部が設けられていてもよい。
【００１１】
本発明の貨幣処理装置においては、前記制御部は、前記包装貨幣作成部により包装貨幣が作成されるべきバラ貨幣が、前記投入部からまず前記バラ貨幣収納部に送られ、次に当該バラ貨幣収納部から前記包装貨幣作成部に送られるよう前記搬送部を制御するようになっていてもよい。
【００１２】
本発明の貨幣処理装置においては、前記包装貨幣収納部における金種毎の包装貨幣の設定収納数が予め設定されており、前記制御部は、前記包装貨幣収納部に収納されている金種毎の包装貨幣の数が前記設定収納数に達するまでは前記投入部により前記筐体の内部に投入されたバラ貨幣を前記包装貨幣作成部に送り、前記包装貨幣収納部に収納されている金種毎の包装貨幣の数が前記設定収納数に達した金種のバラ貨幣が前記投入部により前記筐体の内部に投入されたときに当該バラ貨幣を前記バラ貨幣収納部に送るよう前記搬送部を制御するようになっていてもよい。
【００１３】
本発明の貨幣処理システムは、バラ貨幣を筐体の内部に投入するための投入部、複数のバラ貨幣から包装貨幣を作成する包装貨幣作成部、前記投入部および前記包装貨幣作成部にそれぞれ接続され、筐体内でバラ貨幣を搬送する搬送部、前記搬送部に接続され、バラ貨幣を収納するバラ貨幣収納部、および前記包装貨幣作成部により作成された包装貨幣を収納する包装貨幣収納部を有する貨幣処理装置と、前記貨幣処理装置とは別に設けられ、当該貨幣処理装置の管理を行う管理装置と、を備えた貨幣処理システムであって、前記貨幣処理装置の前記投入部により前記筐体の内部に投入されたバラ貨幣の一部を前記包装貨幣作成部に送ることにより当該包装貨幣作成部において包装貨幣を作成させ、作成された包装貨幣を前記包装貨幣収納部に収納させ、また、残りのバラ貨幣を前記バラ貨幣収納部に収納させるよう前記搬送部および前記包装貨幣作成部を制御する制御部を備えたことを特徴とする。
【００１４】
このような貨幣処理システムによれば、貨幣処理装置において投入部により筐体の内部に投入されたバラ貨幣の一部を包装貨幣作成部に送ることにより当該包装貨幣作成部において包装貨幣を作成させ、作成された包装貨幣を包装貨幣収納部に収納させ、また、残りのバラ貨幣をバラ貨幣収納部に収納させることにより、包装貨幣作成部により作成される包装貨幣の数を適正なものとすることができ、よって包装貨幣収納部に収納される包装貨幣の数が過少や過多となってしまうことを防止することができる。
【００１５】
本発明の貨幣処理システムにおいては、前記制御部は前記管理装置に設けられていてもよい。
【００１６】
本発明の貨幣処理方法は、バラ貨幣を筐体の内部に投入する工程と、前記筐体の内部に投入されたバラ貨幣の一部を包装貨幣作成部に送ることにより当該包装貨幣作成部で包装貨幣を作成させ、作成された包装貨幣を包装貨幣収納部に収納させる工程と、前記筐体の内部に投入された残りのバラ貨幣をバラ貨幣収納部に収納させる工程と、を備えたことを特徴とする。
【００１７】
このような貨幣処理方法によれば、筐体の内部に投入されたバラ貨幣の一部を包装貨幣作成部に送ることにより当該包装貨幣作成部で包装貨幣を作成させ、作成された包装貨幣を包装貨幣収納部に収納させ、また、筐体の内部に投入された残りのバラ貨幣をバラ貨幣収納部に収納させることにより、包装貨幣作成部により作成される包装貨幣の数を適正なものとすることができ、よって包装貨幣収納部に収納される包装貨幣の数が過少や過多となってしまうことを防止することができる。
【発明の効果】
【００１８】
本発明の貨幣処理装置、貨幣処理システムおよび貨幣処理方法によれば、包装貨幣作成部により作成される包装貨幣の数を適正なものとすることができ、よって包装貨幣収納部に収納される包装貨幣の数が過少や過多となってしまうことを防止することができる。
【図面の簡単な説明】
【００１９】
【図１】本発明の実施の形態による貨幣入出金機における紙幣入出金装置の外観を示す斜視図である。
【図２】図１に示す紙幣入出金装置の内部構成を概略的に示す概略構成図である。
【図３】本発明の実施の形態による貨幣入出金機における硬貨入出金装置の外観を示す斜視図である。
【図４】図３に示す硬貨入出金装置を正面側から見たときの内部構成を概略的に示す概略構成図である。
【図５】図３に示す硬貨入出金装置を左側方から見たときの内部構成を概略的に示す概略構成図である。
【図６】図３に示す硬貨入出金装置を右側方から見たときの内部構成を概略的に示す概略構成図である。
【図７】図３等に示す硬貨入出金装置における入金繰出部および入金搬送部を上方から見たときの構成を示す構成図である。
【図８】図３等に示す硬貨入出金装置における各構成部材間での硬貨の流れを示す説明図である。
【図９】本発明の実施の形態による貨幣入出金機における制御系の構成を示す機能ブロック図である。
【図１０】本発明の実施の形態による貨幣入出金機の記憶部に記憶されている、紙幣入出金装置の各帯封紙幣収納部に割り当てられた金種、フル束数および設定収納数を示す表である。
【図１１】本発明の実施の形態による貨幣入出金機の紙幣入出金装置においてバラ紙幣の装填処理が行われる際の動作の一例を示すフローチャートである。
【図１２】本発明の実施の形態による貨幣入出金機の紙幣入出金装置においてバラ紙幣の装填処理が行われる際に操作表示部に表示される画面を示す図である。
【図１３】本発明の実施の形態による貨幣入出金機の紙幣入出金装置においてバラ紙幣の装填処理が行われる際に操作表示部に表示される画面を示す図である。
【図１４】本発明の実施の形態による貨幣入出金機の紙幣入出金装置においてバラ紙幣の装填処理が行われる際に操作表示部に表示される画面を示す図である。
【図１５】本発明の実施の形態による貨幣入出金機の紙幣入出金装置においてバラ紙幣の装填処理が行われる際に操作表示部に表示される画面を示す図である。
【図１６】本発明の実施の形態による貨幣入出金機の紙幣入出金装置においてバラ紙幣の装填処理が行われる際の動作の他の例を示すフローチャートである。
【発明を実施するための形態】
【００２０】
以下、図面を参照して本発明の実施の形態について説明する。図１乃至図１６は、本実施の形態による貨幣入出金機を示す図である。このうち、図１は、本実施の形態による貨幣入出金機における紙幣入出金装置の外観を示す斜視図であり、図２は、図１に示す紙幣入出金装置の内部構成を概略的に示す概略構成図である。また、図３は、本実施の形態による貨幣入出金機における硬貨入出金装置の外観を示す斜視図であり、図４乃至図６は、それぞれ、図３に示す硬貨入出金装置を正面側、左側方、右側方から見たときの内部構成を概略的に示す概略構成図である。また、図７は、図３等に示す硬貨入出金装置における入金繰出部および入金搬送部を上方から見たときの構成を示す構成図であり、図８は、図３等に示す硬貨入出金装置における各構成部材間での硬貨の流れを示す説明図である。また、図９は、本実施の形態による貨幣入出金機における制御系の構成を示す機能ブロック図であり、図１０は、本実施の形態による貨幣入出金機の記憶部に記憶されている、紙幣入出金装置の各帯封紙幣収納部に割り当てられた金種、フル束数および設定収納数を示す表である。また、図１１は、本実施の形態による貨幣入出金機の紙幣入出金装置においてバラ紙幣の装填処理が行われる際の動作の一例を示すフローチャートであり、図１２乃至図１５は、それぞれ、本実施の形態による貨幣入出金機の紙幣入出金装置においてバラ紙幣の装填処理が行われる際に操作表示部に表示される画面を示す図である。また、図１６は、本実施の形態による貨幣入出金機の紙幣入出金装置においてバラ紙幣の装填処理が行われる際の動作の他の例を示すフローチャートである。
【００２１】
本実施の形態による貨幣入出金機１は、図１に示すような紙幣入出金装置１０および図３に示すような硬貨入出金装置１１０が左右に並ぶよう配置されることにより構成されている。ここで、本実施の形態による貨幣入出金機１における紙幣入出金装置１０は、バラ紙幣の入金処理や出金処理を行うことができるとともに、機体内で所定枚数（例えば、１００枚）のバラ紙幣から帯封紙幣を作成したりこの作成された帯封紙幣の出金処理を行ったりすることができるようになっている。また、本実施の形態による貨幣入出金機１における硬貨入出金装置１１０は、バラ硬貨の入金処理や出金処理を行うことができるとともに、機体内で所定枚数（例えば、５０枚）のバラ硬貨に紙やフィルム等の包装媒体を巻くことにより包装硬貨を作成したりこの作成された包装硬貨の出金処理を行ったりすることができるようになっている。このような貨幣入出金機１は、例えば、銀行等の金融機関（より詳細には、金融機関の事務所スペース）に設置され、金融機関の行員等により利用されるようになっている。
【００２２】
まず、本実施の形態による貨幣入出金機１における紙幣入出金装置１０の構成について図１および図２を用いて説明する。図１および図２に示すように、紙幣入出金装置１０は略直方体形状の筐体１２を有しており、この筐体１２の前面には、筐体１２の外部から内部にバラ紙幣を入金するための投入部１４、筐体１２の内部から外部にバラ紙幣を出金するためのバラ紙幣投出部２４、筐体１２の内部から外部に帯封紙幣を出金するための帯封紙幣投出部４８がそれぞれ設けられている。なお、図２における筐体１２の左側の側面が紙幣入出金装置１０の前面側（すなわち、図１に示すように紙幣入出金装置１０を手前側から見たときの正面側）となっており、図２における右方向が筐体１２の奥行き方向となっている。
【００２３】
図１に示すように、投入部１４の前面は筐体１２の外部に開口しており、操作者はこの開口を介して投入部１４の内部にアクセスする（具体的には、投入部１４の内部に手を入れる）ことができるようになっている。このことにより、操作者は投入部１４の内部にバラ紙幣の束を投入することができるようになる。
【００２４】
一方、バラ紙幣投出部２４および帯封紙幣投出部４８にはそれぞれシャッター２４ａ、４８ａが設けられており、これらのシャッター２４ａ、４８ａは、バラ紙幣投出部２４の前面に面する開口（すなわち、バラ紙幣の出金口）や帯封紙幣投出部４８の前面に面する開口（すなわち、帯封紙幣の出金口）をそれぞれ開閉するようになっている。そして、シャッター２４ａ、４８ａによりバラ紙幣投出部２４や帯封紙幣投出部４８の開口が開かれると、操作者はバラ紙幣投出部２４や帯封紙幣投出部４８の内部にそれぞれアクセスする（具体的には、バラ紙幣投出部２４や帯封紙幣投出部４８の内部に手を入れる）ことができるようになり、当該操作者はバラ紙幣投出部２４や帯封紙幣投出部４８に集積されているバラ紙幣や帯封紙幣を筐体１２の内部から外部に取り出すことができるようになる。これらのシャッター２４ａ、４８ａはシャッター駆動部２４ｂ、４８ｂ（図９参照）によりそれぞれ駆動されるようになっている。
【００２５】
なお、本実施の形態による紙幣入出金装置１０では、バラ紙幣投出部２４は、バラ紙幣の出金処理が行われる際にバラ紙幣を筐体１２の外部に排出するための出金部として機能するとともに、入金処理時に後述する識別部２０により識別することができなかったバラ紙幣や、識別部２０により正常なバラ紙幣ではないと識別されたバラ紙幣を筐体１２の外部に排出するための入金リジェクト部として機能するようになっている。
【００２６】
また、図２に示すように、筐体１２の前面におけるバラ紙幣投出部２４の下方には、紙幣入出金装置１０においてバラ紙幣の出金処理が行われる際にバラ紙幣投出部２４により筐体１２の外部に出金すべきではないと判断されたバラ紙幣が集積される出金リジェクト部２６が設けられている。出金リジェクト部２６の前面は筐体１２の外部に開口しておらず、操作者は筐体１２から紙幣入出金装置１０の本体部分（引出ユニット）を手前側に引き出さない限りこの出金リジェクト部２６にアクセスすることができないようになっている。
【００２７】
図２に示すように、投入部１４には、当該投入部１４に投入されたバラ紙幣を１枚ずつ筐体１２の内部に繰り出すための繰出部１６が設けられている。また、紙幣入出金装置１０の筐体１２の内部には、当該筐体１２内でバラ紙幣を１枚ずつ搬送する搬送部１８が設けられており、繰出部１６により投入部１４から繰り出されたバラ紙幣は搬送部１８により筐体１２内で搬送されるようになっている。また、搬送部１８には識別部２０が設けられており、搬送部１８により搬送されるバラ紙幣は識別部２０によりその金種、真偽、表裏、正損、新旧、搬送状態等が識別されるようになっている。また、搬送部１８には表裏反転部２２が設けられており、識別部２０により識別されたバラ紙幣は表裏反転部２２によりその表裏が揃うように反転させられるようになっている。
【００２８】
また、図２に示すように、搬送部１８には入金一時保留部３０および複数（図２に示す例では４つ）のバラ紙幣収納部３２がそれぞれ接続されており、搬送部１８からこれらの入金一時保留部３０や各バラ紙幣収納部３２にバラ紙幣が送られるようになっている。これらの入金一時保留部３０や各バラ紙幣収納部３２には図２における上下方向に移動可能となっているステージ３０ａ、３２ａがそれぞれ設けられており、これらのステージ３０ａ、３２ａ上でバラ紙幣が積層状態で集積されるようになっている。
【００２９】
また、入金一時保留部３０の上端部の近傍には紙幣繰出繰入部３０ｂが設けられており、当該入金一時保留部３０に一時的に保留されているバラ紙幣は紙幣繰出繰入部３０ｂより１枚ずつ搬送部１８に繰り出されるようになっている。また、紙幣繰出繰入部３０ｂにより搬送部１８から入金一時保留部３０にバラ紙幣が１枚ずつ繰り入れられるようになっている。ここで、入金一時保留部３０には、バラ紙幣の入金処理において識別部２０により識別されたバラ紙幣が各バラ紙幣収納部３２に収納される前に一時的に保留されるようになっている。
【００３０】
また、各バラ紙幣収納部３２の上端部の近傍には紙幣繰出繰入部３２ｂが設けられており、各バラ紙幣収納部３２に収納されているバラ紙幣は紙幣繰出繰入部３２ｂにより１枚ずつ搬送部１８に繰り出されるようになっている。また、紙幣繰出繰入部３２ｂにより搬送部１８から各バラ紙幣収納部３２にバラ紙幣が１枚ずつ繰り入れられるようになっている。ここで、各バラ紙幣収納部３２には、それぞれ予め設定された特定の金種のバラ紙幣が収納されるようになっている。なお、予め設定された特定の金種のバラ紙幣が収納されるバラ紙幣収納部３２が４つ設けられる代わりに、複数のバラ紙幣収納部３２のうち少なくとも１つのバラ紙幣収納部３２に複数の金種のバラ紙幣が混合状態で収納されるようになっていてもよい。
【００３１】
図１および図２に示すように、筐体１２の下部には下部扉１２ａが設けられており、この下部扉１２ａを開くことにより操作者は入金一時保留部３０の内部にアクセスすることができるようになっている。また、入金一時保留部３０および各バラ紙幣収納部３２は、筐体１２の内部から手前側に（すなわち、図２における左方向に）引き出し可能となっている引出ユニット１３に収容されている。そして、操作者が下部扉１２ａを開いて引出ユニット１３を筐体１２の内部から手前側に引き出すことにより、当該操作者は各バラ紙幣収納部３２を引出ユニット１３から取り外したり引出ユニット１３に装着したりすることができるようになる。また、本実施の形態による紙幣入出金装置１０では、引出ユニット１３を筐体１２の内部にロックするためのロック機構５０（図９参照）が引出ユニット１３に設けられている。
【００３２】
また、図２に示すように、搬送部１８には複数（図２に示す例では２つ）の整理一時保留部４０が接続されており、当該搬送部１８から各整理一時保留部４０にバラ紙幣が送られるとこれらの整理一時保留部４０にバラ紙幣が積層状態で集積されるようになっている。また、本実施の形態による紙幣入出金装置１０では、所定枚数（例えば、１００枚）のバラ紙幣からなる紙幣束に帯封紙を巻くことにより帯封紙幣を作成する帯封部４２が各整理一時保留部４０の隣に設けられている。
【００３３】
また、図２に示すように、筐体１２の内部において帯封部４２の近傍にはアーム機構４４が設けられており、当該アーム機構４４は各整理一時保留部４０、帯封部４２および後述する帯封紙幣揚送部４６の間で移動可能となっている。このようなアーム機構４４は、各整理一時保留部４０に集積された所定枚数のバラ紙幣からなる紙幣束を帯封部４２に搬送するようになっている。また、帯封部４２において帯封処理が行われる際に、所定枚数のバラ紙幣からなる紙幣束を保持しているアーム機構４４はこの帯封部４２に移動し、当該帯封部４２においてアーム機構４４の上下一対のアーム部により挟持された状態にある紙幣束の外周面に帯封紙が巻かれるようになっている。また、帯封部４２において帯封処理が行われた後、アーム機構４４は帯封部４２から帯封紙幣揚送部４６に移動して、この帯封紙幣揚送部４６のステージ４６ａ（後述）上に帯封紙幣を受け渡すことができるようになっている。このような動作を繰り返すことにより、複数の帯封紙幣を帯封紙幣揚送部４６のステージ４６ａ上に集積させることができる。
【００３４】
帯封紙幣揚送部４６には、図２における上下方向に移動可能となっているステージ４６ａが設けられており、帯封部４２により作成された帯封紙幣がアーム機構４４からステージ４６ａ上に受け渡されると、当該ステージ４６ａ上に帯封紙幣が集積されるようになる。そして、アーム機構４４からステージ４６ａ上に帯封紙幣が受け渡された後、ステージ４６ａが図２における上方向に移動することにより帯封紙幣投出部４８と同じ高さレベルに到達すると、ステージ４６ａ上から帯封紙幣投出部４８に帯封紙幣を受け渡すことができるようになる。そして、ステージ４６ａ上から帯封紙幣投出部４８に帯封紙幣が受け渡された後、シャッター４８ａが開くと、操作者は帯封紙幣投出部４８の内部にアクセスしてこの帯封紙幣投出部４８に集積されている帯封紙幣を筐体１２の外部に取り出すことができるようになる。また、ステージ４６ａが更に上昇すると、当該ステージ４６ａ上に集積されている帯封紙幣を後述する帯封紙幣搬送部６０に受け渡したり、帯封紙幣搬送部６０から帯封紙幣をステージ４６ａ上に集積させたりすることができるようになる。
【００３５】
図２に示すように、筐体１２の内部における上部領域には、複数（図２に示す例では４つ）の帯封紙幣収納部７０が設けられており、これらの帯封紙幣収納部７０には、帯封部４２により作成された帯封紙幣が積層状態で収納されるようになっている。具体的には、各帯封紙幣収納部７０には、それぞれ予め設定された特定の金種の帯封紙幣が収納されるようになっている。なお、予め設定された特定の金種の帯封紙幣が収納される帯封紙幣収納部７０が４つ設けられる代わりに、複数の帯封紙幣収納部７０のうち少なくとも１つの帯封紙幣収納部７０に金種が異なる帯封紙幣が混合状態で収納されるようになっていてもよい。
【００３６】
各帯封紙幣収納部７０の内部にはそれぞれ図２における上下方向に移動可能となっているステージ７０ａが設けられており、帯封紙幣収納部７０の上端部（天井部分）に設けられた開口（図示せず）からこれらの各帯封紙幣収納部７０に送られた帯封紙幣はステージ７０ａ上に積層状態で集積されるようになっている。また、各帯封紙幣収納部７０から帯封紙幣を出す場合には、ステージ７０ａが上昇することにより各帯封紙幣収納部７０の上端部（天井部分）に設けられた開口から帯封紙幣が上方に出されるようになる。
【００３７】
また、これらの各帯封紙幣収納部７０の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣揚送部４６の上端と帯封紙幣収納部７０との間には判別部６２が設けられており、帯封紙幣搬送部６０により搬送される帯封紙幣は当該判別部６２によりその金種が判別されるようになっている。
【００３８】
ここで、帯封部４２により作成された帯封紙幣を各帯封紙幣収納部７０に収納させる際には、アーム機構４４から帯封紙幣が帯封紙幣揚送部４６のステージ４６ａ上に受け渡された後に当該ステージ４６ａが上昇して帯封紙幣搬送部６０の近傍の位置まで到達するようになる。また、循環ベルト６０ｂは図２における反時計回りの方向に循環移動する。このことにより、ステージ４６ａ上の帯封紙幣のうち最上位にある帯封紙幣が突起６０ａにより引っ掛けられて循環ベルト６０ｂの下面に沿って図２における右方向に搬送され、判別部６２によりその金種が判別された後、当該判別部６２による判別結果に基づいて対応する各帯封紙幣収納部７０に収納されるようになる。一方、各帯封紙幣収納部７０に収納されている帯封紙幣を帯封紙幣投出部４８により筐体１２の外部に出金する際には、循環ベルト６０ｂは図２における時計回りの方向に循環移動し、各帯封紙幣収納部７０から上方に押し出された最上位の帯封紙幣が突起６０ａにより引っ掛けられて循環ベルト６０ｂの下面に沿って図２における左方向に搬送されるようになる。また、ステージ４６ａが上昇して帯封紙幣搬送部６０の近傍の位置まで到達するようになる。そして、帯封紙幣搬送部６０により搬送される帯封紙幣の金種が判別部６２により判別された後、当該帯封紙幣はステージ４６ａ上に集積される。複数の帯封紙幣を出金する際には、帯封紙幣の送り込みに合わせてステージ４６ａが所定量（具体的には、帯封紙幣の厚み寸法相当）ずつ下降する。ステージ４６ａ上に所定の数の帯封紙幣が集積されると当該ステージ４６ａが受渡し位置まで下降してこのステージ４６ａ上から帯封紙幣投出部４８に帯封紙幣が受け渡されるようになる。
【００３９】
次に、本実施の形態による貨幣入出金機１における硬貨入出金装置１１０の構成について図３乃至図８を用いて説明する。図３等に示すように、本実施の形態による硬貨入出金装置１１０は、略直方体形状の筐体１１２と、筐体１１２の上面に設けられた硬貨投入口１２１に投入されたバラ硬貨を筐体１１２の内部に繰り出す入金繰出部１２０と、入金繰出部１２０により繰り出されたバラ硬貨を搬送する入金搬送部１２８と、入金搬送部１２８により搬送されるバラ硬貨を識別する入金識別部１２９とを備えている。また、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０、入金識別部１２９により特定の任意の金種の硬貨であると識別されたバラ硬貨を選別する任意選別部１３４、および入金識別部１２９により各々の金種の硬貨であると識別されたバラ硬貨を選別する複数の金種別選別部１３６がそれぞれ設けられている。また、筐体１１２の内部には、任意選別部１３４や各金種別選別部１３６により選別されたバラ硬貨を金種毎に一時的に保留する入金一時保留部１４０、および入金一時保留部１４０から送られたバラ硬貨を金種毎に収納するとともに収納されているバラ硬貨を繰り出すことができる複数の収納繰出部１５２がそれぞれ設けられている。また、筐体１１２の内部には、任意選別部１３４により選別されたバラ硬貨を紙やフィルム等の包装媒体により包装することによって包装硬貨を作成する包装部１６０、包装部１６０により作成された包装媒体を収納する包装硬貨収納ユニット２００および包装部１６０により作成された包装媒体を筐体１１２の内部で搬送する包装硬貨搬送ユニット２１０がそれぞれ設けられている。このような硬貨入出金装置１１０の各構成部材の詳細について以下に説明する。
【００４０】
図４、図５および図７に示すように、入金繰出部１２０は、筐体１１２の上面に設けられた硬貨投入口１２１に投入されたバラ硬貨を受け入れる供給円盤１２２と、この供給円盤１２２からバラ硬貨が適量ずつ供給される回転円盤１２４と、回転円盤１２４からバラ硬貨を１枚ずつ入金搬送部１２８に繰り出す繰出機構１２６とを有している。
【００４１】
図７に示すように、入金搬送部１２８は、入金繰出部１２０から繰り出されたバラ硬貨を搬送路に沿って搬送する搬送ベルトを有している。ここで、搬送ベルトとしては例えば入金搬送部１２８の搬送路に沿って移動する丸ベルトが用いられるようになっており、入金繰出部１２０から繰り出されたバラ硬貨は当該丸ベルトとの間で働く摩擦力により搬送路に沿って搬送されるようになっている。また、入金搬送部１２８には、当該入金搬送部１２８により搬送されるバラ硬貨の金種、真偽、正損、新旧、表裏、搬送状態等の識別を行う入金識別部１２９が設けられている。入金識別部１２９によるバラ硬貨の識別情報は後述する制御部３００に送られるようになっている。
【００４２】
また、図７に示すように、入金搬送部１２８には、入金識別部１２９により正常な硬貨ではないと識別されたバラ硬貨や入金識別部１２９により識別することができなかったバラ硬貨をリジェクト硬貨として選別するリジェクト選別部１３０が設けられている。また、図５に示すように、筐体１１２の内部には、リジェクト選別部１３０により選別されたリジェクト硬貨としてのバラ硬貨が集積される入金リジェクト部１３８、およびリジェクト選別部１３０から入金リジェクト部１３８にリジェクト硬貨としてのバラ硬貨を送る入金リジェクト用シュート１３１がそれぞれ設けられている。ここで、図３に示すように、操作者は筐体１１２の前面から入金リジェクト部１３８の内部にアクセス可能となっており、入金リジェクト部１３８に送られたリジェクト硬貨としてのバラ硬貨を操作者は筐体１１２の前面から取り出すことができるようになっている。
【００４３】
また、入金搬送部１２８において、硬貨の搬送方向におけるリジェクト選別部１３０の下流側には、入金識別部１２９により特定の任意の金種の硬貨であると識別されたバラ硬貨を選別する任意選別部１３４が設けられている。ここで、任意選別部１３４により選別される特定の任意の金種の硬貨とは、例えばバラ硬貨の包装処理において包装部１６０によって包装媒体により包装されることにより包装硬貨とされるべきバラ硬貨や、特定の金種の硬貨の計数処理において袋装着部に装着される貯留袋１７５（図５において二点鎖線で表示）に送られるべきバラ硬貨のことをいう。
【００４４】
また、入金搬送部１２８において、硬貨の搬送方向における任意選別部１３４の更に下流側には、入金識別部１２９により各々の金種の硬貨であると識別されたバラ硬貨を選別する複数の金種別選別部１３６が設けられている。具体的には、複数の金種別選別部１３６として、硬貨の搬送方向における上流側から順に、５円硬貨を選別する５円硬貨選別部１３６ａ、１円硬貨を選別する１円硬貨選別部１３６ｂ、５０円硬貨を選別する５０円硬貨選別部１３６ｃ、１００円硬貨を選別する１００円硬貨選別部１３６ｄ、１０円硬貨を選別する１０円硬貨選別部１３６ｅおよび５００円硬貨を選別する５００円硬貨選別部１３６ｆが設けられている。ここで、リジェクト選別部１３０、任意選別部１３４および５円硬貨選別部１３６ａは、ソレノイド等の電気的駆動機構によって強制的にバラ硬貨を分岐孔に落とし込ませるような構成となっている。一方、１円硬貨選別部１３６ｂ、５０円硬貨選別部１３６ｃ、１００円硬貨選別部１３６ｄおよび１０円硬貨選別部１３６ｅは、小径硬貨から大径硬貨の順にバラ硬貨を径の大きさで選別して該当する分岐孔に落とし込ませるような構成となっている。また、５００円硬貨選別部１３６ｆは、５円硬貨選別部１３６ａ、１円硬貨選別部１３６ｂ、５０円硬貨選別部１３６ｃ、１００円硬貨選別部１３６ｄおよび１０円硬貨選別部１３６ｅの各分岐孔に落とし込まれなかったバラ硬貨を５００円硬貨として当該５００円硬貨選別部１３６ｆに対応する分岐孔に落とし込ませるような構成となっている。
【００４５】
また、図４および図５に示すように、筐体１１２の内部において入金搬送部１２８の下方には入金一時保留部１４０が設けられている。入金一時保留部１４０は、任意選別部１３４により選別されたバラ硬貨が一時的に保留される任意一時保留部１４２と、各金種別選別部１３６により選別されたバラ硬貨が金種別に一時的に保留される金種別一時保留部１４４とを有している。ここで、任意一時保留部１４２は、その上部および底部が開口した枠体から構成されている。また、金種別一時保留部１４４は、５円、１円、５０円、１００円、１０円、５００円の各金種に対応する保留領域１４４ａ、１４４ｂ、１４４ｃ、１４４ｄ、１４４ｅ、１４４ｆに区画された、その上部および底部が開口した枠体から構成されている。また、任意一時保留部１４２および金種別一時保留部１４４は互いに連結されており、これらの任意一時保留部１４２および金種別一時保留部１４４は一体的に水平方向に移動するようになっている。また、任意一時保留部１４２や金種別一時保留部１４４の下方には板状の底部材１４６が設けられており、これらの任意一時保留部１４２や金種別一時保留部１４４の枠体の底部に設けられた開口が底部材１４６により選択的に閉止されるようになっている。また、図４および図５に示すように、入金一時保留部１４０は、任意一時保留部１４２および金種別一時保留部１４４を水平方向（具体的には、図４における左右方向）に移動させる第１駆動機構１４５と、底部材１４６を水平方向（具体的には、図４における左右方向）に移動させる第２駆動機構１４７とを有している。
【００４６】
また、図４および図５に示すように、筐体１１２の内部において入金一時保留部１４０の更に下方には、入金一時保留部１４０から送られたバラ硬貨を筐体１１２の外部に排出するための排出部１５０、入金一時保留部１４０から送られたバラ硬貨を金種毎に収納するとともに収納されているバラ硬貨を繰り出すことができる複数の収納繰出部１５２、入金一時保留部１４０の任意一時保留部１４２から送られたバラ硬貨を包装部１６０や後述する袋装着部に装着された貯留袋１７５に送るシュート機構１７０、および入金一時保留部１４０の任意一時保留部１４２から送られたバラ硬貨が収納されるバラ硬貨一括収納箱１９８（図３参照、図４や図５では図示せず）がそれぞれ設けられている。
【００４７】
入金一時保留部１４０における金種別一時保留部１４４は、各金種別選別部１３６の分岐孔の真下かつ排出部１５０の真上の位置である第１位置と、各収納繰出部１５２の真上の位置である第２位置との間で図４における左右方向に移動可能となっている。また、底部材１４６は、第１位置にある金種別一時保留部１４４の底部の開口を塞ぐ第１位置と、第１位置にある金種別一時保留部１４４の底部の開口を開く第２位置との間で図４における左右方向に移動可能となっている。また、本実施の形態による硬貨入出金装置１１０が待機状態にあるときには金種別一時保留部１４４は第１位置に位置するとともに底部材１４６も第１位置に位置するようになる。ここで、金種別一時保留部１４４が第１位置に位置するとともに底部材１４６が第１位置に位置しているときには、各金種別選別部１３６の分岐孔に落とし込まれたバラ硬貨は金種別一時保留部１４４の各保留領域１４４ａ〜１４４ｆに金種毎に一時的に保留されるようになる。そして、金種別一時保留部１４４の各保留領域１４４ａ〜１４４ｆにバラ硬貨が一時的に保留されている状態から第１駆動機構１４５により金種別一時保留部１４４が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して各収納繰出部１５２の収納領域１５２ａ〜１５２ｆ（後述）に金種毎に送られ、各収納繰出部１５２の収納領域１５２ａ〜１５２ｆに金種毎に収納されるようになる。一方、金種別一時保留部１４４の各保留領域１４４ａ〜１４４ｆにバラ硬貨が一時的に保留されている状態から第２駆動機構１４７により底部材１４６が第１位置から第２位置に移動させられると、金種別一時保留部１４４の各保留領域１４４ａ〜１４４ｆの底部に設けられた開口が開くことにより各保留領域１４４ａ〜１４４ｆからバラ硬貨が自重により落下して排出部１５０に送られ、この排出部１５０に金種混合状態で集積されるようになる。
【００４８】
また、入金一時保留部１４０における任意一時保留部１４２は、第１駆動機構１４５による当該任意一時保留部１４２の移動方向（具体的には、図４における左右方向）に沿って並ぶ第１保留領域および第２保留領域に区画されたものから構成されている。そして、金種別一時保留部１４４が第１位置に位置しているときには任意一時保留部１４２の第１保留領域が任意選別部１３４の分岐孔の真下に位置するとともに排出部１５０の真上に位置するようになる。なお、このときに底部材１４６が第１位置に位置しているときには任意一時保留部１４２の第１保留領域の底部の開口が当該底部材１４６により塞がれるようになり、任意選別部１３４の分岐孔に落とし込まれたバラ硬貨は任意一時保留部１４２の第１保留領域に一時的に保留されるようになる。また、金種別一時保留部１４４が第２位置に位置しているときには任意一時保留部１４２の第１保留領域がバラ硬貨一括収納箱１９８の真上に位置するようになっている。そして、任意一時保留部１４２の第１保留領域にバラ硬貨が一時的に保留されている状態から第１駆動機構１４５により金種別一時保留部１４４が第１位置から第２位置に移動させられると、任意一時保留部１４２の第１保留領域の底部に設けられた開口が開くことによりこの第１保留領域からバラ硬貨が自重により落下してバラ硬貨一括収納箱１９８に送られ、このバラ硬貨一括収納箱１９８に収納されるようになる。一方、任意一時保留部１４２の第１保留領域にバラ硬貨が一時的に保留されている状態から第２駆動機構１４７により底部材１４６が第１位置から第２位置に移動させられると、任意一時保留部１４２の第１保留領域の底部に設けられた開口が開くことによりこの第１保留領域からバラ硬貨が自重により落下して排出部１５０に送られ、当該排出部１５０に集積されるようになる。また、第１駆動機構１４５によって、入金一時保留部１４０における任意一時保留部１４２を、その第２保留領域が任意選別部１３４の分岐孔の真下に位置するような第３位置に移動させることができるようになっている。ここで、任意一時保留部１４２が第３位置に位置しているときには、任意選別部１３４の分岐孔に落とし込まれたバラ硬貨は任意一時保留部１４２の第２保留領域に送られた後、この第２保留領域を通過してシュート機構１７０の上部シュート１７２（後述）に送られるようになっている。
【００４９】
図５等に示すように、複数の収納繰出部１５２の各々は、それぞれ、５円、１円、５０円、１００円、１０円、５００円の各金種に対応する収納領域１５２ａ、１５２ｂ、１５２ｃ、１５２ｄ、１５２ｅ、１５２ｆを有しており、これらの収納領域１５２ａ〜１５２ｆにバラ硬貨が金種別に収納されるようになっている。より詳細には、各収納繰出部１５２の収納領域１５２ａ〜１５２ｆには、入金一時保留部１４０の金種別一時保留部１４４の各保留領域１４４ａ〜１４４ｆからバラ硬貨がそれぞれ送られるようになっている。また、各収納繰出部１５２において収納領域１５２ａ〜１５２ｆの底部には回転円盤等の硬貨繰出部１５２ｐがそれぞれ設けられており、各硬貨繰出部１５２ｐにより各収納繰出部１５２の収納領域１５２ａ〜１５２ｆからバラ硬貨が１枚ずつ繰り出されるようになっている。また、各収納繰出部１５２の下方には水平方向に延びるコンベア１５４が設けられており、各硬貨繰出部１５２ｐにより各収納繰出部１５２の収納領域１５２ａ〜１５２ｆから繰り出されたバラ硬貨はコンベア１５４により搬送されるようになっている。ここで、コンベア１５４には、当該コンベア１５４により搬送されるバラ硬貨の金種、真偽、正損、新旧、表裏、搬送状態等の識別を行う出金識別部１５５が設けられている。出金識別部１５５によるバラ硬貨の識別情報は後述する制御部３００に送られるようになっている。また、出金識別部１５５により識別されたバラ硬貨はコンベア１５４により出金用シュート１５８を介して出金箱１９０に送られるか、あるいは包装用シュート１５７を介して包装部１６０に送られるようになっている。
【００５０】
排出部１５０は、筐体１１２の前面から操作者が手前側に引き出し可能な返却箱１５０ａを有しており、入金一時保留部１４０における任意一時保留部１４２の第１保留領域や金種別一時保留部１４４の各保留領域１４４ａ〜１４４ｆから送られたバラ硬貨が金種混合状態で返却箱１５０ａに集積されるようになっている。
【００５１】
バラ硬貨一括収納箱１９８は、筐体１１２の前面から操作者が手前側に引き出し可能となっており、入金一時保留部１４０における任意一時保留部１４２の第１保留領域から送られたバラ硬貨が集積されるようになっている。
【００５２】
図５に示すように、シュート機構１７０は、入金一時保留部１４０における任意一時保留部１４２の第２保留領域から送られたバラ硬貨が通過する上部シュート１７２と、この上部シュート１７２から分岐した貯留用シュート１７４および包装用シュート１７６とを有しており、上部シュート１７２から貯留用シュート１７４や包装用シュート１７６への分岐箇所には分岐部材１７８が設けられている。ここで、上部シュート１７２から分岐部材１７８により包装用シュート１７６に分岐させられたバラ硬貨は包装部１６０に送られるようになっている。一方、図５に示すように、貯留用シュート１７４の下流側端部に位置する排出側開口１７４ａは筐体１１２の前面に開口するようになっており、この排出側開口１７４ａの近傍には、図５において二点鎖線で示すような貯留袋１７５を筐体１１２の前面に装着させる袋装着部（図示せず）が設けられている。そして、袋装着部に貯留袋１７５が装着されているときには、上部シュート１７２から分岐部材１７８により貯留用シュート１７４に分岐させられたバラ硬貨は排出側開口１７４ａから貯留袋１７５に送られてこの貯留袋１７５に貯留されるようになる。
【００５３】
出金箱１９０は、筐体１１２の前面から操作者が手前側に引き出し可能となっており、本実施の形態による硬貨入出金装置１１０においてバラ硬貨の出金処理が行われる際に、各収納繰出部１５２の収納領域１５２ａ〜１５２ｆから繰り出されたバラ硬貨がコンベア１５４により出金用シュート１５８を介して出金箱１９０に送られるようになっている。また、出金箱１９０には、操作者が当該出金箱１９０を筐体１１２の前面から手前側に引き出す際に把持される取っ手１９０ａが設けられており、このような取っ手１９０ａを操作者が把持することにより出金箱１９０を筐体１１２から容易に引き出すことができるようになっている。また、出金箱１９０には図示しないロック機構が設けられており、このロック機構により出金箱１９０は筐体１１２の内部にロックされるようになっている。一方、ロック機構によるロックが解除されると、操作者は出金箱１９０を筐体１１２の前面から手前側に引き出すことができるようになる。また、図４に示すように、出金箱１９０の底部には開口が設けられているとともに、この開口はシャッタ部材１９２により選択的に閉じられるようになっている。また、筐体１１２の下部には、出金リジェクト箱１５６と、出金箱１９０の底部に設けられた開口から出金リジェクト箱１５６にバラ硬貨を送る出金リジェクト用シュート１９４がそれぞれ設けられている。そして、本実施の形態による硬貨入出金装置１１０においてバラ硬貨の出金処理が行われる際に、出金されるべきバラ硬貨の金種とは異なる金種のバラ硬貨が収納繰出部１５２の各収納領域１５２ａ〜１５２ｆから繰り出されて出金箱１９０に送られたり、収納繰出部１５２の各収納領域１５２ａ〜１５２ｆからのバラ硬貨の繰り出しエラーによって各収納領域１５２ａ〜１５２ｆから繰り出されたバラ硬貨の枚数が不確定となってしまったりした場合には、出金箱１９０の底部に設けられた開口がシャッタ部材１９２により開かれ、出金箱１９０に送られたバラ硬貨はこの出金箱１９０から出金リジェクト用シュート１９４を介して出金リジェクト箱１５６に送られるようになる。
【００５４】
包装部１６０は、シュート機構１７０の包装用シュート１７６や包装用シュート１５７により当該包装部１６０に送られたバラ硬貨が集積されるとともに集積されたバラ硬貨を１枚ずつ繰り出す集積部としての回転円盤１６２と、回転円盤１６２により繰り出されたバラ硬貨を搬送するコンベア１６３と、コンベア１６３により搬送されたバラ硬貨が積層状態で集積されるとともに集積された所定の枚数（例えば、５０枚）のバラ硬貨を紙やフィルム等の包装媒体により包装する包装機構１６８とを有している。ここで、包装機構１６８は上方から見て仮想の正三角形の各頂点に位置する３本の包装ローラ１６８ａを有しており、各包装ローラ１６８ａの間の包装領域において所定枚数重積した重積硬貨が包装媒体により包装されて包装硬貨が作成されるようになっている。図６に示すように、包装機構１６８により作成された包装硬貨はこの包装機構１６８から下方に排出されるようになっている。また、包装機構１６８の下方には包装硬貨用シュート１６５および横搬送部１６７が設けられており、包装機構１６８により作成された包装硬貨が当該包装機構１６８から下方に排出されると、この排出された包装硬貨は包装硬貨用シュート１６５を通って横搬送部１６７に送られ、この横搬送部１６７により包装硬貨搬送ユニット２１０に向かって搬送されるようになる。また、横搬送部１６７と包装硬貨搬送ユニット２１０との間には、横搬送部１６７から包装硬貨搬送ユニット２１０への包装硬貨の放出と放出規制とを切り換える切換部材１６９が設けられている。
【００５５】
また、図４等に示すように、包装部１６０においてコンベア１６３の下方には排出シュート１６４が設けられており、包装機構１６８により所定の枚数（例えば、５０枚）のバラ硬貨を包装する際に所定の枚数に満たない端数分のバラ硬貨はコンベア１６３から排出シュート１６４に送られてこの排出シュート１６４により出金リジェクト箱１５６に送られるようになっている。また、出金リジェクト箱１５６の近傍には、端数分のバラ硬貨を収納する端数硬貨収納箱１９７が設けられているとともに、この出金リジェクト箱１５６には、排出シュート１６４から送られた端数分のバラ硬貨を出金リジェクト箱１５６および端数硬貨収納箱１９７の何れかに分岐させる分岐部材１９６が設けられている。このような分岐部材１９６が設けられていることにより、コンベア１６３から排出シュート１６４に送られた端数分のバラ硬貨を出金リジェクト箱１５６および端数硬貨収納箱１９７のうち何れかに収納させることができるようになる。
【００５６】
図６に示すように、包装硬貨搬送ユニット２１０は、筐体１１２の内部における上部および下部にそれぞれ設けられた２つのプーリ２１２と、これらの２つのプーリ２１２に掛け渡された無端状の循環ベルト２１４と、２つのプーリ２１２のうち一方のプーリ２１２を回転駆動させることにより循環ベルト２１４を図６における時計回りの方向および反時計回りの方向に循環移動させる駆動モータ（図示せず）とを有している。また、図６に示すように、循環ベルト２１４には、包装硬貨搬送ユニット２１０により搬送されるべき包装硬貨が引っ掛けられる突起２１６が等間隔で複数設けられている。ここで、各突起２１６は、当該突起２１６と包装硬貨とが接する面が循環ベルト２１４の延びる方向（すなわち、図６における上下方向）に対して所定の角度（例えば、６０°）をなして傾斜する方向に当該循環ベルト２１４から突出して形成されている。このように各突起２１６が循環ベルト２１４の延びる方向に対して傾斜していることにより、突起２１６に引っ掛けられた包装硬貨はその自重により突起２１６上で循環ベルト２１４側に寄せられるようになる。そして、循環ベルト２１４が図６における反時計回りの方向に循環移動すると、包装硬貨は突起２１６に引っ掛けられた状態で（すなわち、突起２１６上で循環ベルト２１４側に寄せられた状態で）循環ベルト２１４の移動に合わせて図６における反時計回りの方向に沿って搬送されるようになる。また、本実施の形態では、循環ベルト２１４は、所定量だけ移動すると所定時間だけ停止し、その後再び所定量だけ移動するような動作が繰り返し行われる間欠移動を行うよう、駆動モータにより駆動させられるようになっている。
【００５７】
また、図６に示すように、筐体１１２の内部において包装硬貨搬送ユニット２１０の近傍には、包装硬貨の収納を行う包装硬貨収納ユニット２００が設けられている。ここで、包装硬貨収納ユニット２００は、同一金種の複数の包装硬貨を一列に収納する複数（図６に示す例では６つ）の収納トレイ２４０を有しており、各収納トレイ２４０には包装硬貨が金種別に収納されるようになっている。ここで、各収納トレイ２４０は水平方向に対して傾斜しており、収納トレイ２４０に収納されている包装硬貨は、包装硬貨搬送ユニット２１０に近い側である収納トレイ２４０の最前部に向かって転がるようになっている。また、各収納トレイ２４０は鉛直方向に沿って並ぶよう配置されている。また、各収納トレイ２４０に収納される包装硬貨の金種は収納トレイ２４０毎に予め設定されている。
【００５８】
また、各収納トレイ２４０は、図６に示す位置から包装硬貨搬送ユニット２１０に向かって（すなわち、図６における左方向に）移動可能となっており、各収納トレイ２４０が包装硬貨搬送ユニット２１０における循環ベルト２１４の近傍の位置まで進出したときに、各収納トレイ２４０に収納されている包装硬貨が循環ベルト２１４の突起２１６に１つずつ受け渡されるようになる。また、各収納トレイ２４０の前端部分（すなわち、図６における左端部分）と、包装硬貨搬送ユニット２１０との間には、各収納トレイ２４０に対応して複数のストッパ部分２０４ａが設けられたストッパ機構２０４が上下方向に移動可能に配置されている。このストッパ機構２０４が下降位置にあるときには、包装硬貨搬送ユニット２１０に向かって進出した収納トレイ２４０の最前部の包装硬貨にストッパ部分２０４ａが接触してこの最前部の包装硬貨が循環ベルト２１４の突起２１６に受け渡されないようになる。この場合には、循環ベルト２１４により搬送される包装硬貨が突起２１６から収納トレイ２４０の最前部に受け渡され、この収納トレイ２４０に収納されるようになる。一方、ストッパ機構２０４が上昇位置にあるときには、包装硬貨搬送ユニット２１０に向かって進出した収納トレイ２４０の最前部の包装硬貨にストッパ部分２０４ａが接触せず、この最前部の包装硬貨が循環ベルト２１４の突起２１６に受け渡されるようになる。
【００５９】
また、筐体１１２の前面において包装硬貨搬送ユニット２１０の前部域には、包装硬貨出金部２３０、包装硬貨一括収納箱２３２および包装硬貨投出部２３６がそれぞれ設けられている。また、包装硬貨出金部２３０、包装硬貨一括収納箱２３２および包装硬貨投出部２３６の各々に対応して、包装硬貨搬送ユニット２１０の循環ベルト２１４により搬送される包装硬貨を選択的に包装硬貨出金部２３０、包装硬貨一括収納箱２３２および包装硬貨投出部２３６にそれぞれ分岐させる分岐部材２１８、２１９、２２０が設けられている。また、分岐部材２２０により包装硬貨搬送ユニット２１０から分岐させられた包装硬貨を包装硬貨投出部２３６に送る包装硬貨投出用シュート２３８が設けられている。ここで、図３に示すように、操作者は筐体１１２の前面から包装硬貨出金部２３０にアクセス可能となっており、包装硬貨出金部２３０に送られた包装硬貨を操作者は筐体１１２の外部に取り出すことができるようになっている。また、図３に示すように、操作者は筐体１１２の前面から包装硬貨投出部２３６にアクセス可能となっており、分岐部材２２０により包装硬貨搬送ユニット２１０の循環ベルト２１４から分岐させられて包装硬貨投出用シュート２３８により包装硬貨投出部２３６に送られた包装硬貨を操作者は筐体１１２の外部に取り出すことができるようになっている（具体的には、包装硬貨投出部２３６の下方に箱状の容器を置いて、投出される包装硬貨をこの容器で受け入れるようになっている）。また、循環ベルト２１４を図６における時計回りの方向に循環移動させた場合には、横搬送部１６７により包装硬貨搬送ユニット２１０に送られた包装硬貨をすぐに包装硬貨投出用シュート２３８経由で包装硬貨投出部２３６に送ることができるようになる。
【００６０】
また、図３に示すように、筐体１１２の前面側における右側部分には開閉可能な前扉１１４が設けられており、当該前扉１１４を開くことにより筐体１１２内の包装硬貨収納ユニット２００にアクセスすることができるようになっている。より詳細には、前扉１１４には上述した包装硬貨出金部２３０、包装硬貨一括収納箱２３２、包装硬貨投出部２３６および包装硬貨搬送ユニット２１０が取り付けられており、前扉１１４を開いたときにはこれらの包装硬貨出金部２３０、包装硬貨一括収納箱２３２、包装硬貨投出部２３６および包装硬貨搬送ユニット２１０も前扉１１４と一体的に移動するようになっている。このことにより、操作者は前扉１１４を開くと包装硬貨収納ユニット２００にアクセスして収納トレイ２４０を取り出すことにより収納トレイ２４０に包装硬貨を収納したり収納トレイ２４０から包装硬貨を取り出したりすることができるようになっている。
【００６１】
また、図３に示すように、筐体１１２の前面側における左側部分にも開閉可能な前扉１１５が設けられている。また、筐体１１２の内部において前扉１１５の裏側には複数の引出ユニットが設けられており、操作者は前扉１１５を開くことにより各引出ユニットを筐体１１２の手前側に引き出すことができるようになっている。また、各引出ユニットにはロック機構２５０（図９参照）が設けられており、当該ロック機構２５０は対応する引出ユニットを筐体１１２の内部にロックするようになっている。
【００６２】
また、本実施の形態の貨幣入出金機１には、当該貨幣入出金機１の各構成部材の制御を行う制御部３００が設けられている。より詳細には、図９に示すように、制御部３００には、紙幣入出金装置１０の投入部１４、繰出部１６、搬送部１８、識別部２０、表裏反転部２２、入金一時保留部３０（具体的には、入金一時保留部３０に設けられたステージ３０ａの駆動機構（図示せず）や紙幣繰出繰入部３０ｂ）、各バラ紙幣収納部３２（具体的には、各バラ紙幣収納部３２に設けられたステージ３２ａの駆動機構（図示せず）や紙幣繰出繰入部３２ｂ）、帯封部４２、アーム機構４４、帯封紙幣揚送部４６、帯封紙幣搬送部６０、判別部６２、各帯封紙幣収納部７０（具体的には、各帯封紙幣収納部７０に設けられたステージ７０ａの駆動機構（図示せず））、引出ユニット１３に設けられたロック機構５０、各シャッター２４ａ、４８ａを開閉させるシャッター駆動部２４ｂ、４８ｂ等がそれぞれ接続されている。そして、識別部２０によるバラ紙幣の識別結果に係る信号や判別部６２による帯封紙幣の金種の判別結果に係る情報等が制御部３００に送られるとともに、制御部３００は紙幣入出金装置１０の各構成部材に指令信号を送ることによりこれらの構成部材の動作を制御するようになっている。
【００６３】
また、図９に示すように、制御部３００には、硬貨入出金装置１１０の入金繰出部１２０、入金搬送部１２８、入金識別部１２９、各選別部１３０、１３４、１３６、入金一時保留部１４０、各収納繰出部１５２、コンベア１５４、出金識別部１５５、包装部１６０、包装硬貨収納ユニット２００、包装硬貨搬送ユニット２１０、分岐部材２１８、２１９、２２０、ロック機構２５０等がそれぞれ接続されている。ここで、入金識別部１２９や出金識別部１５５によるバラ硬貨の識別情報はこれらの入金識別部１２９や出金識別部１５５から制御部３００に送られるようになっている。また、制御部３００は、硬貨入出金装置１１０の各構成部材に指令の信号を送ることによりこれらの構成部材の動作を制御するようになっている。
【００６４】
また、図９に示すように、制御部３００には、操作表示部３０２、印字部３０４、記憶部３０６および通信インターフェース部３０８がそれぞれ接続されている。図３に示すように、操作表示部３０２は、例えば硬貨入出金装置１１０の筐体１１２の上部に設けられたタッチパネル等からなり、紙幣入出金装置１０や硬貨入出金装置１１０における紙幣や硬貨の処理状況や、紙幣入出金装置１０や硬貨入出金装置１１０に収納されている紙幣や硬貨の在高等の情報を表示するようになっている。また、操作者はこの操作表示部３０２により制御部３００に様々な指令を入力することができるようになっている。また、図３に示すように、印字部３０４は、紙幣入出金装置１０や硬貨入出金装置１１０における紙幣や硬貨の処理状況や、紙幣入出金装置１０や硬貨入出金装置１１０に収納されている紙幣や硬貨の在高等の情報をレシート等に印刷するプリンタ等から構成されている。また、記憶部３０６は、紙幣入出金装置１０や硬貨入出金装置１１０における紙幣や硬貨の処理履歴や、紙幣入出金装置１０や硬貨入出金装置１１０に収納されている紙幣や硬貨の在高等の情報を記憶するようになっている。また、制御部３００は通信インターフェース部３０８を介して上位端末等の外部装置３１０に対して様々な信号の送受信を行うことができるようになっている。
【００６５】
また、本実施の形態では、紙幣入出金装置１０の各帯封紙幣収納部７０における帯封紙幣の設定収納数（具体的には、帯封紙幣収納部７０がフル状態となるような帯封紙幣の数またはフル状態よりも少ない所定の基準数）が予め設定されており、後述するバラ紙幣の装填処理において帯封部４２により帯封紙幣が作成されてこの作成された帯封紙幣が各帯封紙幣収納部７０に収納される際に、各帯封紙幣収納部７０に収納される帯封紙幣の数が設定収納数を超えないよう帯封部４２に送られて当該帯封部４２により作成される各金種の帯封紙幣の数が設定されるようになっている。このような各帯封紙幣収納部７０における帯封紙幣の設定収納数は記憶部３０６に記憶されるようになっている。例えば、図１０（ａ）に示す表のように、４つの帯封紙幣収納部７０を図２における左側から順に帯封紙幣収納部（ａ）〜（ｄ）としたときに、帯封紙幣収納部（ａ）（ｂ）にはそれぞれ最大で３０束の一万円札の帯封紙幣が収納されるとともに帯封紙幣収納部（ｃ）（ｄ）にはそれぞれ最大で３０束の千円札の帯封紙幣が収納されるようになっている場合において、各帯封紙幣収納部（ａ）〜（ｄ）に対して帯封紙幣の設定収納数としてそれぞれフル状態よりも少ない所定の基準数である１０束が割り当てられている。なお、設定収納数として、フル状態よりも少ない所定の基準数の代わりに、フル束数が割り当てられるようになっていてもよい。また、図１０（ｂ）に示す表のように、一万円札の帯封紙幣が収納される帯封紙幣収納部（ａ）（ｂ）には合計で帯封紙幣の設定収納数として２０束が割り当てられるとともに、千円札の帯封紙幣が収納される帯封紙幣収納部（ｃ）（ｄ）にも合計で帯封紙幣の設定収納数として２０束が割り当てられるようになっていてもよい。図１０（ｂ）に示す表のように帯封紙幣の設定収納数が割り当てられる場合には、各帯封紙幣収納部（ａ）〜（ｄ）に収納される帯封紙幣の数を帯封紙幣の金種毎にまとめて管理することができるようになる。
【００６６】
また、硬貨入出金装置１１０の包装硬貨収納ユニット２００の各収納トレイ２４０における包装硬貨の設定収納数（具体的には、収納トレイ２４０がフル状態となるような包装硬貨の数またはフル状態よりも少ない所定の基準数）が予め設定されており、後述するバラ硬貨の装填処理において包装部１６０により包装硬貨が作成されてこの作成された包装硬貨が包装硬貨収納ユニット２００の各収納トレイ２４０に収納される際に、各収納トレイ２４０に収納される包装硬貨の数が設定収納数を超えないよう包装部１６０に送られて当該包装部１６０より作成される各金種の包装硬貨の数が設定されるようになっている。このような各収納トレイ２４０における包装硬貨の設定収納数も記憶部３０６に記憶されるようになっている。例えば、包装硬貨収納ユニット２００における６つの収納トレイ２４０にそれぞれ１円包装硬貨、５円包装硬貨、１０円包装硬貨、５０円包装硬貨、１００円包装硬貨および５００円包装硬貨が割り当てられており、各収納トレイ２４０にそれぞれ最大で１５個の包装硬貨が収納されるようになっている場合において、各収納トレイ２４０に対して包装硬貨の設定収納数としてそれぞれ例えばフル状態よりも少ない所定の基準数である５個が割り当てられるようになっていてもよい。あるいは、設定収納数として、フル状態よりも少ない所定の基準数の代わりに、フル状態の包装硬貨の収納数である１５個が割り当てられるようになっていてもよい。
【００６７】
次に、このような構成からなる貨幣入出金機１の紙幣入出金装置１０においてバラ紙幣の装填処理が行われる際の動作について図１１に示すフローチャートおよび図１２乃至図１５に示す操作表示部３０２の表示画面を用いて説明する。
【００６８】
本実施の形態による貨幣入出金機１の紙幣入出金装置１０では、投入部１４により筐体１２の内部に投入されたバラ紙幣の一部を帯封部４２に送ることにより当該帯封部４２において帯封紙幣を作成させ、作成された帯封紙幣を各帯封紙幣収納部７０に収納させ、また、残りのバラ紙幣を各バラ紙幣収納部３２に収納させることができるようになっている。具体的には、貨幣入出金機１が待機状態となっているときに操作表示部３０２に表示される操作メニュー画面から装填処理を実行することを選択すると、図１２に示すような装填処理の内容を選択する選択画面を操作表示部３０２に表示させることができるようになっているが、このような操作表示部３０２の選択画面における「０６．バラ紙幣・束紙幣」のボタンを操作者が押下すると、操作表示部３０２には図１３に示すような帯封紙幣の束数の入力画面が表示されるようになる。ここで、操作表示部３０２に帯封紙幣の束数の入力画面が表示される際に、当該入力画面には各帯封紙幣収納部７０に装填可能な帯封紙幣の金種毎の数および金額も表示されるようになる。具体的には、各帯封紙幣収納部７０に収納されている帯封紙幣の数が、記憶部３０６に記憶されている各帯封紙幣収納部７０に対応する設定収納数よりも少ない場合に、この設定収納数から各帯封紙幣収納部７０に収納されている帯封紙幣の数を差し引いた帯封紙幣の数が各帯封紙幣収納部７０に装填可能な帯封紙幣の数として操作表示部３０２に表示されるようになる。より具体的に説明すると、例えば図１０（ａ）に示すように各帯封紙幣収納部７０における帯封紙幣の設定収納数が割り当てられているときに、帯封紙幣収納部（ａ）（ｂ）に収納されている一万円札の帯封紙幣の数がそれぞれ１０束以上である場合には、帯封紙幣収納部（ａ）（ｂ）に収納されている一万円札の帯封紙幣の数が、記憶部３０６に記憶されている帯封紙幣収納部（ａ）（ｂ）に対応する設定収納数以上であるため、図１３の入力画面には、これ以上帯封部４２により一万円札の帯封紙幣を作成して筐体１２内に装填することができないことが表示される。一方、図１０（ａ）に示すように各帯封紙幣収納部７０における帯封紙幣の設定収納数が割り当てられているときに、帯封紙幣収納部（ｃ）（ｄ）に収納されている千円札の帯封紙幣の数が合計で例えば１束である場合には、帯封紙幣収納部（ｃ）（ｄ）に収納されている千円札の帯封紙幣の数が、記憶部３０６に記憶されている各帯封紙幣収納部（ｃ）（ｄ）に対応する設定収納数よりも少ないため、図１３の入力画面には、帯封部４２により最大で１９束の千円札の帯封紙幣を作成して筐体１２内に装填することができることが表示される。このように、本実施の形態では、操作表示部３０２は、各帯封紙幣収納部７０に収納されている金種毎の帯封紙幣の数が設定収納数に満たない場合に両者の差に係る金種毎の帯封紙幣の収納可能数を報知する報知部として機能するようになっている。
【００６９】
そして、操作者が図１３に示すような入力画面においてまず「千」「五千」「万」「二千」のうちいずれかの金種を選択した後に数字を入力することにより、帯封部４２により作成されるべき帯封紙幣の金種毎の数を入力することができるようになる。このようにして操作者が帯封部４２により作成されるべき帯封紙幣の金種毎の数を操作表示部３０２により入力すると、当該操作表示部３０２は帯封部４２により作成されるべき帯封紙幣の金種毎の数に係る情報を受け付けるようになる（ＳＴＥＰ１）。このように、本実施の形態では、操作表示部３０２は、帯封部４２により作成されるべき帯封紙幣の金種毎の数に係る情報を受け付ける受付手段として機能するようになる。ここで、各帯封紙幣収納部７０に収納される帯封紙幣の数が記憶部３０６に記憶されている設定収納数を超えるような帯封紙幣の数が受け付けられた場合には（ＳＴＥＰ２の「ＹＥＳ」）、帯封部４２によりこれ以上帯封紙幣を作成することができないため、操作表示部３０２には帯封紙幣を作成することができない旨の警告メッセージが表示されるようになる（ＳＴＥＰ３）。一方、操作表示部３０２により受け付けられた帯封部４２により作成されるべき帯封紙幣の金種毎の数と各帯封紙幣収納部７０に収納されている帯封紙幣の金種毎の数との合計が、各帯封紙幣収納部７０に対応する設定収納数よりも少ない場合には（ＳＴＥＰ２の「ＮＯ」）、図１３に示すような入力画面において「完了ボタン」が押下されると（ＳＴＥＰ４の「ＹＥＳ」）、図１４に示すような投入部１４にバラ紙幣を投入することを操作者に促す画面が操作表示部３０２に表示されるようになる。なお、本実施の形態では、操作者が帯封部４２により作成されるべき帯封紙幣の金種毎の数を操作表示部３０２により入力する代わりに、帯封部４２により作成されるべき帯封紙幣の金種毎の数に係る情報が上位端末等の外部装置３１０から通信インターフェース部３０８を介して制御部３００に送信されるようになっていてもよい。この場合には、通信インターフェース部３０８は、帯封部４２により作成されるべき帯封紙幣の金種毎の数に係る情報を受け付ける受付手段として機能するようになる。
【００７０】
図１４に示すような画面が操作表示部３０２に表示されているときに操作者が投入部１４にバラ紙幣を投入し、「計数開始」ボタンを押下すると（ＳＴＥＰ５の「ＹＥＳ」）、投入部１４に投入されたバラ紙幣が繰出部１６により１枚ずつ筐体１２の内部に繰り出され、筐体１２の内部に繰り出されたバラ紙幣は搬送部１８により搬送されるようになる（ＳＴＥＰ６）。また、搬送部１８により搬送されるバラ紙幣は識別部２０によりその金種、真偽、表裏、正損、新旧、搬送状態等が識別される。ここで、識別部２０により識別されたバラ紙幣が正常なものであり、かつ帯封部４２により作成されるべき帯封紙幣の金種に一致する場合には、識別部２０により識別されたバラ紙幣は搬送部１８により整理一時保留部４０に送られる。そして、所定枚数（例えば、１００枚）のバラ紙幣が整理一時保留部４０に集積されると、アーム機構４４により整理一時保留部４０から所定枚数のバラ紙幣の束が取り出され、当該アーム機構４４により帯封部４２に搬送される。その後、帯封部４２においてアーム機構４４により把持されている所定枚数のバラ紙幣の束に帯封紙を巻くことにより帯封紙幣が作成される（ＳＴＥＰ７）。その後、帯封部４２により作成された帯封紙幣はアーム機構４４により帯封紙幣揚送部４６に受け渡され、帯封紙幣揚送部４６および帯封紙幣搬送部６０により各帯封紙幣収納部７０に送られるようになる。このようにして、帯封部４２により作成された帯封紙幣が各帯封紙幣収納部７０に収納される。
【００７１】
また、識別部２０により識別されたバラ紙幣について、帯封部４２により作成されるべき帯封紙幣の金種とは一致しないものや、帯封部４２により作成された帯封紙幣の数が制御部３００に受け付けられた帯封紙幣の数に達した金種のものについては、識別部２０により正常なバラ紙幣であると識別された場合には当該バラ紙幣は搬送部１８により入金一時保留部３０に送られ、当該入金一時保留部３０に一時的に保留されるようになる（ＳＴＥＰ８）。この際に、入金一時保留部３０がフル状態となった場合には（ＳＴＥＰ９の「ＹＥＳ」）、入金一時保留部３０からバラ紙幣が搬送部１８に繰り出されて各バラ紙幣収納部３２に例えば金種毎に振り分けられるようになる（ＳＴＥＰ１０）。一方、識別部２０により正常なバラ紙幣ではないと識別された場合には当該バラ紙幣はリジェクト紙幣として搬送部１８によりバラ紙幣投出部２４に送られるようになり、この場合には操作者はバラ紙幣投出部２４からリジェクト紙幣を取り出して投入部１４に再投入等することができるようになる。そして、投入部１４に投入されたバラ紙幣が全て筐体１２の内部に繰り出されて入金一時保留部３０等に送られることにおり、投入部１４にバラ紙幣が残らないようになると（ＳＴＥＰ１１の「ＮＯ」）、操作表示部３０２には図１５に示すような帯封部４２により作成された帯封紙幣の数および入金一時保留部３０に保留されているバラ紙幣の数がそれぞれ表示されるようになる。操作表示部３０２に図１５に示すような計数結果が表示されているときに、操作者が「完了」ボタンを押下すると（ＳＴＥＰ１２の「ＹＥＳ」）、入金一時保留部３０からバラ紙幣が搬送部１８に繰り出されて各バラ紙幣収納部３２に例えば金種毎に振り分けられるようになる（ＳＴＥＰ１３）。その後、帯封部４２により作成された帯封紙幣の数や金額、および各バラ紙幣収納部３２に収納されたバラ紙幣の数や金額に係る情報が印字部３０４によりレシートに印字されるようになる（ＳＴＥＰ１４）。なお、投入部１４にバラ紙幣が残らないようになった際に（ＳＴＥＰ１１の「ＮＯ」）、整理一時保留部４０に所定枚数未満の端数紙幣が残った状態で操作表示部３０２における「完了」ボタンが押下された場合には、このような端数紙幣は操作者によって手動で  筐体１２の外部に取り出されるようになる。
【００７２】
なお、本実施の形態では、帯封部４２により作成されるべき帯封紙幣の金種毎の数を操作者が最初に操作表示部３０２により入力する代わりに、記憶部３０６に記憶されている各帯封紙幣収納部７０に対応する設定収納数に基づいて、この設定収納数に達するまでは自動で帯封部４２によりバラ紙幣を帯封して帯封紙幣を作成し、作成された帯封紙幣を各帯封紙幣収納部７０に収納させるようになっていてもよい。この場合には、制御部３００は、各帯封紙幣収納部７０に収納されている金種毎の帯封紙幣の数が設定収納数に達するまでは投入部１４により筐体１２の内部に投入されたバラ紙幣を帯封部４２に送ってこの帯封部４２により帯封紙幣を作成させた後に作成された帯封紙幣を各帯封紙幣収納部７０に収納させ、各帯封紙幣収納部７０に収納されている金種毎の帯封紙幣の数が設定収納数に達した金種のバラ紙幣が投入部１４により筐体１２の内部に投入されたときに当該バラ紙幣を各バラ紙幣収納部３２に送るよう搬送部１８を制御するようになる。このような動作について図１６に示すフローチャートを用いて説明する。
【００７３】
貨幣入出金機１が待機状態となっているときに操作表示部３０２に表示される操作メニュー画面から装填処理を実行することを選択すると、図１２に示すような装填処理の内容を選択する選択画面を操作表示部３０２に表示させることができるようになっているが、このような操作表示部３０２の選択画面における「０６．バラ紙幣・束紙幣」のボタンを操作者が押下すると、図１３に示すような帯封紙幣の束数の入力画面が操作表示部３０２に表示されることなく、代わりに図１４に示すような投入部１４にバラ紙幣を投入することを操作者に促す画面が操作表示部３０２に表示されるようになる。そして、図１４に示すような画面が操作表示部３０２に表示されているときに操作者が投入部１４にバラ紙幣を投入し、「計数開始」ボタンを押下すると（ＳＴＥＰ２１の「ＹＥＳ」）、投入部１４に投入されたバラ紙幣が繰出部１６により１枚ずつ筐体１２の内部に繰り出され、筐体１２の内部に繰り出されたバラ紙幣は搬送部１８により搬送されるようになる（ＳＴＥＰ２２）。また、搬送部１８により搬送されるバラ紙幣は識別部２０によりその金種、真偽、表裏、正損、新旧、搬送状態等が識別される。ここで、識別部２０により識別されたバラ紙幣が正常なものであり、かつ帯封部４２により作成されるべき帯封紙幣の金種に一致する場合には、各帯封紙幣収納部７０に収納されている帯封紙幣の数が設定収納数に達するまで、識別部２０により識別されたバラ紙幣は搬送部１８により整理一時保留部４０に送られる。そして、所定枚数（例えば、１００枚）のバラ紙幣が整理一時保留部４０に集積されると、アーム機構４４により整理一時保留部４０から所定枚数のバラ紙幣の束が取り出され、当該アーム機構４４により帯封部４２に搬送される。その後、帯封部４２においてアーム機構４４により把持されている所定枚数のバラ紙幣の束に帯封紙を巻くことにより帯封紙幣が作成される（ＳＴＥＰ２３）。その後、帯封部４２により作成された帯封紙幣はアーム機構４４により帯封紙幣揚送部４６に受け渡され、帯封紙幣揚送部４６および帯封紙幣搬送部６０により各帯封紙幣収納部７０に送られるようになる。このようにして、各帯封紙幣収納部７０に収納されている帯封紙幣の数が設定収納数に達するまで、筐体１２の内部に繰り出されたバラ紙幣から帯封部４２により帯封紙幣を作成し、作成された帯封紙幣を各帯封紙幣収納部７０に収納させるようにする。
【００７４】
また、識別部２０により識別されたバラ紙幣について、帯封部４２により作成されるべき帯封紙幣の金種とは一致しないものや、各帯封紙幣収納部７０に収納されている帯封紙幣の数が設定収納数に達した金種のものについては、識別部２０により正常なバラ紙幣であると識別された場合には当該バラ紙幣は搬送部１８により入金一時保留部３０に送られ、当該入金一時保留部３０に一時的に保留されるようになる（ＳＴＥＰ２４）。この際に、入金一時保留部３０がフル状態となった場合には（ＳＴＥＰ２５の「ＹＥＳ」）、入金一時保留部３０からバラ紙幣が搬送部１８に繰り出されて各バラ紙幣収納部３２に例えば金種毎に振り分けられるようになる（ＳＴＥＰ２６）。一方、識別部２０により正常なバラ紙幣ではないと識別された場合には当該バラ紙幣はリジェクト紙幣として搬送部１８によりバラ紙幣投出部２４に送られるようになり、この場合には操作者はバラ紙幣投出部２４からリジェクト紙幣を取り出して投入部１４に再投入等することができるようになる。そして、投入部１４に投入されたバラ紙幣が全て筐体１２の内部に繰り出されて入金一時保留部３０等に送られることにおり、投入部１４にバラ紙幣が残らないようになると（ＳＴＥＰ２７の「ＮＯ」）、操作表示部３０２には図１５に示すような帯封部４２により作成された帯封紙幣の数および入金一時保留部３０に保留されているバラ紙幣の数がそれぞれ表示されるようになる。操作表示部３０２に図１５に示すような計数結果が表示されているときに、操作者が「完了」ボタンを押下すると（ＳＴＥＰ２８の「ＹＥＳ」）、入金一時保留部３０からバラ紙幣が搬送部１８に繰り出されて各バラ紙幣収納部３２に例えば金種毎に振り分けられるようになる（ＳＴＥＰ２９）。その後、帯封部４２により作成された帯封紙幣の数や金額、および各バラ紙幣収納部３２に収納されたバラ紙幣の数や金額に係る情報が印字部３０４によりレシートに印字されるようになる（ＳＴＥＰ３０）。
【００７５】
また、上記のバラ紙幣の装填処理の例では、識別部２０により識別されたバラ紙幣のうち帯封部４２により作成されるべき帯封紙幣を当該識別部２０から搬送部１８により帯封部４２に直接送るような態様について述べたが、本実施の形態はこのような態様に限定されることはない。例えば、投入部１４により筐体１２の内部に繰り出されて識別部２０により識別されたバラ紙幣は、帯封部４２により帯封されるべきバラ紙幣も含めて全て入金一時保留部３０に送られてこの入金一時保留部３０で一時的に保留されるようになっていてもよい。この場合には、投入部１４に投入されたバラ紙幣が全て筐体１２の内部に繰り出され、投入部１４にバラ紙幣が残らなくなった後に、操作者が例えば操作表示部３０２において「完了」のボタンを押下すると、入金一時保留部３０で一時的に保留されているバラ紙幣のうち一部のバラ紙幣（すなわち、帯封して収納すべき金種および枚数のバラ紙幣）が搬送部１８により整理一時保留部４０に送られて帯封部４２において帯封された後、作成された帯封紙幣が各帯封紙幣収納部７０に収納されるようになる。一方、入金一時保留部３０で一時的に保留されているバラ紙幣のうち残りのバラ紙幣は搬送部１８により各バラ紙幣収納部３２に振り分けられるようになる。このようにすれば、整理一時保留部４０に端数紙幣が残留することを回避することができる。
【００７６】
また、更に別のバラ紙幣の装填処理の方法として、例えば、投入部１４により筐体１２の内部に繰り出されて識別部２０により識別されたバラ紙幣のうち、帯封部４２により帯封されるべきバラ紙幣を入金一時保留部３０に送ってこの入金一時保留部３０で一時的に保留させ、残りのバラ紙幣を入金一時保留部３０に送らずに各バラ紙幣収納部３２に直接送るようにしてもよい。この場合には、投入部１４に投入されたバラ紙幣が全て筐体１２の内部に繰り出され、投入部１４にバラ紙幣が残らなくなった後に、操作者が例えば操作表示部３０２において「完了」のボタンを押下すると、入金一時保留部３０で一時的に保留されているバラ紙幣が全て搬送部１８により整理一時保留部４０に送られて帯封部４２において帯封された後、作成された帯封紙幣が各帯封紙幣収納部７０に収納されるようになる。
【００７７】
また、本実施の形態に係る紙幣入出金装置１０において、各整理一時保留部４０に、当該整理一時保留部４０に保留されているバラ紙幣を搬送部１８に繰り出す繰出機構が設けられていてもよい。このような紙幣入出金装置１０では、投入部１４により筐体１２の内部にバラ紙幣が繰り出されて識別部２０により識別された後、帯封部４２により帯封されるべきバラ紙幣および各バラ紙幣収納部３２に収納されるべきバラ紙幣の両方が搬送部１８により整理一時保留部４０に送られてこの整理一時保留部４０で一時的に保留されるようになっていてもよい。この場合には、投入部１４に投入されたバラ紙幣が全て筐体１２の内部に繰り出され、投入部１４にバラ紙幣が残らなくなった後に、操作者が例えば操作表示部３０２において「完了」のボタンを押下すると、整理一時保留部４０で一時的に保留されているバラ紙幣のうち一部のバラ紙幣がアーム機構４４により帯封部４２に送られてこの帯封部４２において帯封された後、作成された帯封紙幣が各帯封紙幣収納部７０に収納されるようになる。一方、整理一時保留部４０で一時的に保留されているバラ紙幣のうち残りのバラ紙幣は当該整理一時保留部４０に設けられた繰出機構により搬送部１８に繰り出され、この搬送部１８により各バラ紙幣収納部３２に振り分けられるようになる。このようなバラ紙幣の装填処理方法によれば、入金一時保留部３０を用いなくてもバラ紙幣の装填処理を行うことができるようになり、入金一時保留部３０を他の用途に使用することができるようになる。また、投入部１４にバラ紙幣が残らないようになった際に、整理一時保留部４０に所定枚数未満の端数紙幣が残った場合でも操作者が端数紙幣を整理一時保留部４０から筐体１２の外部に手動で取り出す手間を省くことができるようになり、また、端数紙幣が筐体１２の外部に手動で取り出される場合と比較して現金管理が正確になる。
【００７８】
また、本実施の形態に係る紙幣入出金装置１０において、各整理一時保留部４０に、当該整理一時保留部４０に保留されているバラ紙幣を搬送部１８に繰り出す繰出機構が設けられている場合に、図１１や図１６に示すフローチャートに係るバラ紙幣の装填処理において帯封部４２により帯封されるべきバラ紙幣を投入部１４から搬送部１８により各整理一時保留部４０に送って当該整理一時保留部４０に集積させている途中で、投入部１４に投入されている帯封されるべき金種のバラ紙幣が不足したときに、この情報を操作表示部３０２により操作者に報知して投入部１４へのバラ紙幣の追加投入を行うかあるいは帯封部４２によるバラ紙幣の帯封をあきらめるかを選択させるようになっていてもよい。そして、操作者が帯封部４２によるバラ紙幣の帯封をあきらめることを操作表示部３０２により選択した場合には、整理一時保留部４０に既に集積されている端数のバラ紙幣が繰出機構により搬送部１８に繰り出され、この搬送部１８により各バラ紙幣収納部３２に振り分けられるようになる。このようなバラ紙幣の装填処理方法によれば、端数紙幣が自動で各バラ紙幣収納部３２に収納されるので操作者の負担が軽減される上に端数紙幣が筐体１２の外部に手動で取り出される場合と比較して現金管理が正確になる。
【００７９】
また、本実施の形態による貨幣入出金機１では、硬貨入出金装置１１０においてバラ硬貨の装填処理が行われる際に、硬貨投入口１２１により筐体１１２の内部に投入されたバラ硬貨の一部を包装部１６０に送ることにより当該包装部１６０において包装硬貨を作成させ、作成された包装硬貨を包装硬貨収納ユニット２００の各収納トレイ２４０に収納させ、また、残りのバラ硬貨を各収納繰出部１５２に収納させることができるようになっている。具体的には、貨幣入出金機１が待機状態となっているときに操作表示部３０２に表示される操作メニュー画面から装填処理を実行することを選択すると、図１２に示すような装填処理の内容を選択する選択画面を操作表示部３０２に表示させることができるようになっているが、このような操作表示部３０２の選択画面における「０７．バラ硬貨・包装硬貨」のボタンを操作者が押下すると、操作表示部３０２には包装硬貨の数の入力画面が表示されるようになる。ここで、操作表示部３０２に包装硬貨の数の入力画面が表示される際に、当該入力画面には包装硬貨収納ユニット２００の各収納トレイ２４０に装填可能な包装硬貨の金種毎の数および金額も表示されるようになる。具体的には、包装硬貨収納ユニット２００の各収納トレイ２４０に収納されている包装硬貨の数が、記憶部３０６に記憶されている包装硬貨収納ユニット２００の各収納トレイ２４０に対応する設定収納数よりも少ない場合に、この設定収納数から包装硬貨収納ユニット２００の各収納トレイ２４０に収納されている包装硬貨の数を差し引いた包装硬貨の数が包装硬貨収納ユニット２００の各収納トレイ２４０に装填可能な包装硬貨の数として操作表示部３０２に表示されるようになる。このように、本実施の形態では、操作表示部３０２は、包装硬貨収納ユニット２００の各収納トレイ２４０に収納されている金種毎の包装硬貨の数が設定収納数に満たない場合に両者の差に係る金種毎の包装硬貨の収納可能数を報知する報知部として機能するようになっている。
【００８０】
そして、操作者が包装部１６０により作成されるべき包装硬貨の金種毎の数を操作表示部３０２により入力すると、当該操作表示部３０２は包装部１６０により作成されるべき包装硬貨の金種毎の数に係る情報を受け付けるようになる。このように、本実施の形態では、操作表示部３０２は、包装部１６０により作成されるべき包装硬貨の金種毎の数に係る情報を受け付ける受付手段として機能するようになる。ここで、包装硬貨収納ユニット２００の各収納トレイ２４０に収納される包装硬貨の数が記憶部３０６に記憶されている設定収納数を超えるような包装硬貨の数が受け付けられた場合には、包装部１６０によりこれ以上包装硬貨を作成することができないため、操作表示部３０２には包装硬貨を作成することができない旨の警告メッセージが表示されるようになる。一方、操作表示部３０２により受け付けられた包装部１６０により作成されるべき包装硬貨の金種毎の数と、包装硬貨収納ユニット２００の各収納トレイ２４０に収納されている包装硬貨の金種毎の数との合計が、包装硬貨収納ユニット２００の各収納トレイ２４０に対応する設定収納数よりも少ない場合には、操作表示部３０２の入力画面において「完了ボタン」が押下されると、当該操作表示部３０２には硬貨投入口１２１にバラ硬貨を投入することを操作者に促す画面が表示されるようになる。なお、本実施の形態では、操作者が包装部１６０により作成されるべき包装硬貨の金種毎の数を操作表示部３０２により入力する代わりに、包装部１６０により作成されるべき包装硬貨の金種毎の数に係る情報が上位端末等の外部装置３１０から通信インターフェース部３０８を介して制御部３００に送信されるようになっていてもよい。この場合には、通信インターフェース部３０８は、包装部１６０により作成されるべき包装硬貨の金種毎の数に係る情報を受け付ける受付手段として機能するようになる。
【００８１】
その後、操作者が硬貨投入口１２１にバラ硬貨を投入し、「計数開始」ボタンを押下すると、硬貨投入口１２１に投入されたバラ硬貨が入金繰出部１２０により１枚ずつ筐体１１２の内部に繰り出され、筐体１１２の内部に繰り出されたバラ硬貨は入金搬送部１２８により搬送されるようになる。また、入金搬送部１２８により搬送されるバラ硬貨は入金識別部１２９によりその金種、真偽、表裏、正損、新旧、搬送状態等が識別される。ここで、入金識別部１２９により識別されたバラ硬貨が正常なものであり、かつ包装部１６０により作成されるべき包装硬貨の金種に一致する場合には、入金識別部１２９により識別されたバラ紙幣は任意選別部１３４により選別されて任意一時保留部１４２およびシュート機構１７０を経て包装部１６０に送られる。そして、包装部１６０において回転円盤１６２により繰り出されたバラ硬貨がコンベア１６３により包装機構１６８に送られこの包装機構１６８で所定枚数（例えば、５０枚）のバラ硬貨から包装硬貨が作成される。その後、包装部１６０により作成された包装硬貨は包装硬貨搬送ユニット２１０により包装硬貨収納ユニット２００の各収納トレイ２４０に送られるようになる。このようにして、包装部１６０により作成された包装硬貨が包装硬貨収納ユニット２００の各収納トレイ２４０に収納される。
【００８２】
また、入金識別部１２９により識別されたバラ硬貨について、包装部１６０により作成されるべき包装硬貨の金種とは一致しないものや、包装部１６０により作成された包装硬貨の数が制御部３００に受け付けられた包装硬貨の数に達した金種のものについては、入金識別部１２９により正常なバラ硬貨であると識別された場合には当該バラ硬貨は入金搬送部１２８から各金種別選別部１３６により選別されて金種別一時保留部１４４の各保留領域１４４ａ〜１４４ｆに金種毎に送られ、当該金種別一時保留部１４４の各保留領域１４４ａ〜１４４ｆに金種毎に一時的に保留されるようになる。この際に、ある保留領域１４４ａ〜１４４ｆがフル状態となった場合には、金種別一時保留部１４４の各保留領域１４４ａ〜１４４ｆからバラ硬貨が各収納繰出部１５２に送られ、これらの収納繰出部１５２にバラ硬貨が金種毎に収納されるようになる。一方、入金識別部１２９により正常なバラ硬貨ではないと識別された場合には当該バラ硬貨はリジェクト硬貨として入金搬送部１２８からリジェクト選別部１３０により選別されて入金リジェクト用シュート１３１により入金リジェクト部１３８に送られるようになり、この場合には操作者は入金リジェクト部１３８からリジェクト硬貨を取り出して硬貨投入口１２１に再投入等することができるようになる。そして、硬貨投入口１２１に投入されたバラ硬貨が全て入金繰出部１２０により筐体１１２の内部に繰り出されて金種別一時保留部１４４等に送られることにより、供給円盤１２２や回転円盤１２４等にバラ硬貨が残らないようになると、操作表示部３０２には包装部１６０により作成された包装硬貨の数および金種別一時保留部１４４の各保留領域１４４ａ〜１４４ｆに保留されているバラ硬貨の数がそれぞれ表示されるようになる。操作表示部３０２にこのような計数結果が表示されているときに、操作者が「完了」ボタンを押下すると、金種別一時保留部１４４の各保留領域１４４ａ〜１４４ｆからバラ硬貨が各収納繰出部１５２に送られ、これらの収納繰出部１５２にバラ硬貨が金種毎に収納されるようになる。その後、包装部１６０により作成された包装硬貨の数や金額、および各収納繰出部１５２に収納されたバラ硬貨の数や金額に係る情報が印字部３０４によりレシートに印字されるようになる。
【００８３】
なお、本実施の形態では、包装部１６０により作成されるべき包装硬貨の金種毎の数を操作者が最初に操作表示部３０２により入力する代わりに、記憶部３０６に記憶されている包装硬貨収納ユニット２００の各収納トレイ２４０に対応する設定収納数に基づいて、この設定収納数に達するまでは自動で包装部１６０によりバラ硬貨を包装して包装硬貨を作成し、作成された包装硬貨を包装硬貨収納ユニット２００の各収納トレイ２４０に収納させるようになっていてもよい。この場合には、制御部３００は、包装硬貨収納ユニット２００の各収納トレイ２４０に収納されている金種毎の包装硬貨の数が設定収納数に達するまでは入金繰出部１２０により筐体１１２の内部に投入されたバラ硬貨を包装部１６０に送ってこの包装部１６０により包装硬貨を作成させた後に作成された包装硬貨を包装硬貨収納ユニット２００の各収納トレイ２４０に収納させ、各収納トレイ２４０に収納されている金種毎の包装硬貨の数が設定収納数に達した金種のバラ硬貨が入金繰出部１２０により筐体１１２の内部に投入されたときに当該バラ硬貨を各収納繰出部１５２に送るよう入金搬送部１２８等を制御するようになる。このような動作について説明する。
【００８４】
貨幣入出金機１が待機状態となっているときに操作表示部３０２に表示される操作メニュー画面から装填処理を実行することを選択すると、図１２に示すような貨幣の装填処理の内容を選択する選択画面を操作表示部３０２に表示させることができるようになっているが、このような操作表示部３０２の選択画面における「０７．バラ硬貨・包装硬貨」のボタンを操作者が押下すると、包装硬貨の金種毎の数の入力画面が操作表示部３０２に表示されることなく、代わりに硬貨投入口１２１にバラ硬貨を投入することを操作者に促す画面が操作表示部３０２に表示されるようになる。そして、このような画面が操作表示部３０２に表示されているときに操作者が硬貨投入口１２１にバラ硬貨を投入し、「計数開始」ボタンを押下すると、硬貨投入口１２１に投入されたバラ硬貨が入金繰出部１２０により１枚ずつ筐体１１２の内部に繰り出され、筐体１１２の内部に繰り出されたバラ紙幣は入金搬送部１２８により搬送されるようになる。また、入金搬送部１２８により搬送されるバラ硬貨は入金識別部１２９によりその金種、真偽、表裏、正損、新旧、搬送状態等が識別される。ここで、入金識別部１２９により識別されたバラ硬貨が正常なものであり、かつ包装部１６０により作成されるべき包装硬貨の金種に一致する場合には、包装硬貨収納ユニット２００の各収納トレイ２４０に収納されている包装硬貨の数が設定収納数に達するまで、入金識別部１２９により識別された包装硬貨は任意選別部１３４により選別されて任意一時保留部１４２およびシュート機構１７０を経て包装部１６０に送られる。そして、包装部１６０において回転円盤１６２により繰り出されたバラ硬貨がコンベア１６３により包装機構１６８に送られこの包装機構１６８で所定枚数（例えば、５０枚）のバラ硬貨から包装硬貨が作成される。その後、包装部１６０により作成された帯封紙幣は包装硬貨搬送ユニット２１０により包装硬貨収納ユニット２００の各収納トレイ２４０に送られるようになる。このようにして、包装硬貨収納ユニット２００の各収納トレイ２４０に収納されている包装硬貨の数が設定収納数に達するまで、筐体１１２の内部に繰り出されたバラ硬貨から包装部１６０により包装硬貨を作成し、作成された包装硬貨を包装硬貨収納ユニット２００の各収納トレイ２４０に収納させるようにする。
【００８５】
また、入金識別部１２９により識別されたバラ硬貨について、包装部１６０により作成されるべき包装硬貨の金種とは一致しないものや、包装硬貨収納ユニット２００の各収納トレイ２４０に収納されている包装硬貨の数が設定収納数に達した金種のものについては、入金識別部１２９により正常なバラ硬貨であると識別された場合には当該バラ硬貨は入金搬送部１２８から各金種別選別部１３６により選別されて金種別一時保留部１４４の各保留領域１４４ａ〜１４４ｆに金種毎に送られ、当該金種別一時保留部１４４の各保留領域１４４ａ〜１４４ｆに金種毎に一時的に保留されるようになる。この際に、ある保留領域１４４ａ〜１４４ｆがフル状態となった場合には、金種別一時保留部１４４の各保留領域１４４ａ〜１４４ｆからバラ硬貨が各収納繰出部１５２に送られ、これらの収納繰出部１５２にバラ硬貨が金種毎に収納されるようになる。一方、入金識別部１２９により正常なバラ硬貨ではないと識別された場合には当該バラ硬貨はリジェクト硬貨として入金搬送部１２８からリジェクト選別部１３０により選別されて入金リジェクト用シュート１３１により入金リジェクト部１３８に送られるようになり、この場合には操作者は入金リジェクト部１３８からリジェクト硬貨を取り出して硬貨投入口１２１に再投入等することができるようになる。そして、硬貨投入口１２１に投入されたバラ紙幣が全て入金繰出部１２０により筐体１１２の内部に繰り出されて金種別一時保留部１４４等に送られることにより、供給円盤１２２や回転円盤１２４等にバラ硬貨が残らないようになると、操作表示部３０２には包装部１６０により作成された包装硬貨の数および金種別一時保留部１４４の各保留領域１４４ａ〜１４４ｆに保留されているバラ硬貨の数がそれぞれ表示されるようになる。操作表示部３０２にこのような計数結果が表示されているときに、操作者が「完了」ボタンを押下すると、金種別一時保留部１４４の各保留領域１４４ａ〜１４４ｆからバラ硬貨が各収納繰出部１５２に送られ、これらの収納繰出部１５２にバラ硬貨が金種毎に収納されるようになる。その後、包装部１６０により作成された包装硬貨の数や金額、および各収納繰出部１５２に収納されたバラ硬貨の数や金額に係る情報が印字部３０４によりレシートに印字されるようになる。
【００８６】
また、上記のバラ硬貨の装填処理の例では、入金識別部１２９により識別されたバラ硬貨のうち包装部１６０により作成されるべき包装硬貨を入金搬送部１２８から任意選別部１３４により選別して包装部１６０に直接送るような態様について述べたが、本実施の形態はこのような態様に限定されることはない。例えば、入金繰出部１２０により筐体１１２の内部に繰り出されて入金識別部１２９により識別されたバラ硬貨は、包装部１６０により包装されるべきバラ硬貨も含めて全て各収納繰出部１５２に送られてこれらの収納繰出部１５２に一旦収納されるようになっていてもよい。この場合には、硬貨投入口１２１に投入されたバラ硬貨が全て筐体１１２の内部に繰り出され、供給円盤１２２や回転円盤１２４にバラ硬貨が残らなくなった後に、操作者が例えば操作表示部３０２において「完了」のボタンを押下すると、各収納繰出部１５２に収納されているバラ硬貨のうち一部のバラ硬貨が当該収納繰出部１５２からコンベア１５４に繰り出されてこのコンベア１５４により包装部１６０に送られるようになる。そして、包装部１６０に送られたバラ硬貨から包装硬貨が作成され、作成された包装硬貨が包装硬貨収納ユニット２００の各収納トレイ２４０に収納されるようになる。
【００８７】
また、更に別のバラ硬貨の装填処理の方法として、例えば、入金繰出部１２０により筐体１１２の内部に繰り出されて入金識別部１２９により識別されたバラ硬貨のうち、包装部１６０により包装されるべきバラ硬貨を入金搬送部１２８から任意選別部１３４により選別した後に任意一時保留部１４２で一時的に保留させてもよい。この場合には、硬貨投入口１２１に投入されたバラ硬貨が全て筐体１１２の内部に繰り出され、供給円盤１２２や回転円盤１２４にバラ硬貨が残らなくなった後に、操作者が例えば操作表示部３０２において「完了」のボタンを押下すると、任意一時保留部１４２で一時的に保留されているバラ硬貨がシュート機構１７０により包装部１６０に送られてこの包装部１６０において包装された後、作成された包装硬貨が包装硬貨収納ユニット２００の各収納トレイ２４０に収納されるようになる。
【００８８】
また、本実施の形態に係る硬貨入出金装置１１０において、包装部１６０に、当該包装部１６０の回転円盤１６２上にあるバラ硬貨や包装機構１６８内にあるバラ硬貨、あるいはコンベア１６３により搬送されるバラ硬貨を入金搬送部１２８における入金識別部１２９よりも上流側の箇所に戻すようなバラ硬貨戻し機構が設けられていてもよい。このような硬貨入出金装置１１０では、入金繰出部１２０によりバラ硬貨が筐体１１２の内部に繰り出されて入金識別部１２９により識別された後、包装部１６０により包装されるべきバラ硬貨および各収納繰出部１５２に収納されるべきバラ硬貨の両方が入金搬送部１２８から任意選別部１３４により選別されて任意一時保留部１４２およびシュート機構１７０を経て包装部１６０に一旦送られるようになっていてもよい。この場合には、硬貨投入口１２１に投入されたバラ硬貨が全て筐体１１２の内部に繰り出され、供給円盤１２２や回転円盤１２４にバラ硬貨が残らなくなった後に、操作者が例えば操作表示部３０２において「完了」のボタンを押下すると、包装部１６０の回転円盤１６２上にあるバラ硬貨のうち一部のバラ硬貨がコンベア１６３により包装機構１６８に送られてこの包装機構１６８において包装された後、作成された包装硬貨が包装硬貨収納ユニット２００の各収納トレイ２４０に収納されるようになる。一方、包装部１６０の回転円盤１６２上にあるバラ硬貨や包装機構１６８内にあるバラ硬貨、あるいはコンベア１６３により搬送されるバラ硬貨のうち残りのバラ硬貨は上記のバラ硬貨戻し機構により入金搬送部１２８における入金識別部１２９よりも上流側の箇所に戻され、各金種別選別部１３６により選別された後に各金種別一時保留部１４４を経て各収納繰出部１５２に収納されるようになる。このようなバラ硬貨の装填処理方法によれば、供給円盤１２２や回転円盤１２４にバラ硬貨が残らなくなった際に、包装部１６０に所定枚数未満の端数硬貨が残った場合でも操作者が端数硬貨を包装部１６０から筐体１２の外部に手動で取り出す手間を省くことができるようになり、また、端数硬貨が筐体１２の外部に手動で取り出される場合と比較して現金管理が正確になる。
【００８９】
また、本実施の形態に係る硬貨入出金装置１１０において、包装部１６０に、当該包装部１６０の回転円盤１６２上にあるバラ硬貨や包装機構１６８内にあるバラ硬貨、あるいはコンベア１６３により搬送されるバラ硬貨を入金搬送部１２８における入金識別部１２９よりも上流側の箇所に戻すようなバラ硬貨戻し機構が設けられている場合に、バラ硬貨の装填処理において包装部１６０により包装されるべきバラ硬貨を入金搬送部１２８から任意選別部１３４により選別して任意一時保留部１４２およびシュート機構１７０を経て包装部１６０に送る途中で、硬貨投入口１２１により入金繰出部１２０に投入されている包装されるべき金種のバラ硬貨が不足したときに、この情報を操作表示部３０２により操作者に報知して硬貨投入口１２１へのバラ硬貨の追加投入を行うかあるいは包装部１６０によるバラ硬貨の包装をあきらめるかを選択させるようになっていてもよい。そして、操作者が包装部１６０によるバラ硬貨の包装をあきらめることを操作表示部３０２により選択した場合には、包装部１６０の回転円盤１６２上にある端数のバラ硬貨や包装機構１６８内にある端数のバラ硬貨、あるいはコンベア１６３により搬送される端数のバラ硬貨がバラ硬貨戻し機構により入金搬送部１２８における入金識別部１２９よりも上流側の箇所に戻され、各金種別選別部１３６により選別された後に各金種別一時保留部１４４を経て各収納繰出部１５２に収納されるようになる。このようなバラ硬貨の装填処理方法によれば、端数硬貨が自動で各収納繰出部１５２に収納されるので操作者の負担が軽減される上に端数硬貨が筐体１１２の外部に手動で取り出される場合と比較して現金管理が正確になる。
【００９０】
以上のような構成からなる本実施の形態の貨幣入出金機１によれば、投入部１４や硬貨投入口１２１により筐体１２、１１２の内部に投入されたバラ紙幣やバラ硬貨の一部を帯封部４２や包装部１６０に送ることによりこれらの帯封部４２や包装部１６０において帯封紙幣や包装硬貨を作成させ、作成された帯封紙幣や包装硬貨を各帯封紙幣収納部７０や包装硬貨収納ユニット２００の各収納トレイ２４０に収納させ、また、残りのバラ紙幣やバラ硬貨を各バラ紙幣収納部３２や各収納繰出部１５２に収納させるよう制御部３００は紙幣入出金装置１０や硬貨入出金装置１１０の各構成部材（具体的には、搬送部１８や入金搬送部１２８等）を制御するようになっている。ここで、特許請求の範囲における「包装貨幣」は、帯封紙幣および包装硬貨の両方を含む概念のものであり、「包装貨幣作成部」は、帯封部４２および包装部１６０の両方を含む概念のものとなっている。また、特許請求の範囲における「包装貨幣収納部」は、帯封紙幣収納部７０および包装硬貨収納ユニット２００の収納トレイ２４０の両方を含む概念のものとなっている。このような技術的特徴によれば、包装貨幣作成部（すなわち、帯封部４２や包装部１６０）により作成される包装貨幣（すなわち、帯封紙幣や包装硬貨）の数を適正なものとすることができ、よって包装貨幣収納部（すなわち、各帯封紙幣収納部７０や包装硬貨収納ユニット２００の各収納トレイ２４０）に収納される包装貨幣の数が過少や過多となってしまうことを防止することができる。
【００９１】
より詳細に説明すると、従来の貨幣入出金機では、バラ貨幣収納部に収納されているバラ貨幣の数が所定量を超えると、当該バラ貨幣収納部からバラ貨幣を繰り出して包装貨幣作成部に送り、この包装貨幣作成部で所定枚数のバラ貨幣から包装貨幣を作成するようになっていた。また、従来の貨幣入出金機では、バラ貨幣の装填処理を行う際に指定された金種のバラ貨幣を入金口から包装貨幣作成部に直接送ってこの包装貨幣作成部で所定枚数のバラ貨幣から包装貨幣を作成することができるようになっていた。しかしながら、このような貨幣入出金機では、バラ貨幣収納部に収納されているバラ貨幣の数が所定量を超えないと筐体の内部にあるバラ貨幣から包装貨幣が作成されないため、筐体の内部にある程度の量のバラ貨幣があるにもかかわらず筐体内で収納される包装貨幣の数が不足してしまうおそれがあった。また、バラ貨幣の装填処理を行う際に包装を行うバラ貨幣の金種を指定した場合には、指定された金種のバラ貨幣が全て入金口から包装貨幣作成部に送られるため、作成される包装貨幣の数が過多となってしまうおそれがあった。これに対し、本実施の形態による貨幣入出金機１では、筐体１２、１１２の内部に投入されたバラ貨幣の一部を包装貨幣作成部（例えば、帯封部４２や包装部１６０）に送ることにより当該包装貨幣作成部において包装貨幣を作成させ、作成された包装貨幣を包装貨幣収納部（例えば、各帯封紙幣収納部７０や包装硬貨収納ユニット２００の各収納トレイ２４０）に収納させ、また、残りのバラ貨幣をバラ貨幣収納部（例えば、各バラ紙幣収納部３２や各収納繰出部１５２）に収納させることにより、上述した従来の貨幣入出金機の問題を解消することができる。
【００９２】
本実施の形態の貨幣入出金機１においては、上述したように、帯封部４２や包装部１６０により作成されるべき帯封紙幣や包装硬貨の金種毎の数に係る情報を受け付ける受付手段として操作表示部３０２や通信インターフェース部３０８が設けられており、制御部３００は、受付手段により受け付けられた情報における帯封紙幣や包装硬貨の金種毎の数に相当する数のバラ紙幣やバラ硬貨を帯封部４２や包装部１６０に送り、当該情報における帯封紙幣や包装硬貨の金種毎の数を超える分のバラ紙幣やバラ硬貨を各バラ紙幣収納部３２や各収納繰出部１５２に送るよう搬送部１８や入金搬送部１２８等を制御するようになっている。
【００９３】
この場合、帯封紙幣収納部７０や包装硬貨収納ユニット２００の各収納トレイ２４０における金種毎の帯封紙幣や包装硬貨の設定収納数が予め設定されており、帯封紙幣収納部７０や包装硬貨収納ユニット２００の各収納トレイ２４０に収納されている金種毎の帯封紙幣や包装硬貨の数が設定収納数に満たない場合に両者の差に係る金種毎の帯封紙幣や包装硬貨の収納可能数が操作表示部３０２に表示されるようになっている（図１３参照）。このように、操作表示部３０２は金種毎の帯封紙幣や包装硬貨の収納可能数を報知する報知部として機能するようになる。
【００９４】
また、帯封紙幣収納部７０や包装硬貨収納ユニット２００の各収納トレイ２４０における金種毎の帯封紙幣や包装硬貨の設定収納数が予め設定されており、帯封部４２や包装部１６０により作成されるべき帯封紙幣や包装硬貨の金種毎の数に係る情報が受付手段により受け付けられたときに、帯封紙幣収納部７０や包装硬貨収納ユニット２００の各収納トレイ２４０に収納されている金種毎の帯封紙幣や包装硬貨の数と、受付手段により受け付けられた情報における帯封紙幣や包装硬貨の金種毎の数との合計が設定収納数を超える場合に操作表示部３０２に警告メッセージが表示されるようになっている（図１１のＳＴＥＰ３）。このように、操作表示部３０２は、帯封紙幣収納部７０や包装硬貨収納ユニット２００の各収納トレイ２４０に収納されている金種毎の帯封紙幣や包装硬貨の数と、受付手段により受け付けられた情報における帯封紙幣や包装硬貨の金種毎の数との合計が設定収納数を超える場合に警告を発する警報部として機能するようになる。
【００９５】
本実施の形態の貨幣入出金機１においては、上述したように、制御部３００は、帯封部４２や包装部１６０により帯封紙幣や包装硬貨が作成されるべきバラ紙幣やバラ硬貨が、投入部１４や入金繰出部１２０からまず入金一時保留部３０や各収納繰出部１５２に送られ、次に入金一時保留部３０や各収納繰出部１５２から帯封部４２や包装部１６０に送られるよう搬送部１８や入金搬送部１２８、コンベア１５４等を制御するようになっている。ここで、特許請求の範囲における「バラ貨幣収納部」は、入金一時保留部３０等の一時保留部を含む概念のものとなっている。
【００９６】
本実施の形態の貨幣入出金機１においては、上述したように、帯封紙幣収納部７０や包装硬貨収納ユニット２００の各収納トレイ２４０における金種毎の帯封紙幣や包装硬貨の設定収納数が予め設定されており、制御部３００は、帯封紙幣収納部７０や包装硬貨収納ユニット２００の各収納トレイ２４０に収納されている金種毎の帯封紙幣や包装硬貨の数が設定収納数に達するまでは投入部１４や硬貨投入口１２１により筐体１２、１１２の内部に投入されたバラ紙幣やバラ硬貨を帯封部４２や包装部１６０に送り、帯封紙幣収納部７０や包装硬貨収納ユニット２００の各収納トレイ２４０に収納されている金種毎の帯封紙幣や包装硬貨の数が設定収納数に達した金種のバラ紙幣やバラ硬貨が投入部１４や硬貨投入口１２１により筐体１２、１１２の内部に投入されたときにこれらのバラ紙幣やバラ硬貨を各バラ紙幣収納部３２や各収納繰出部１５２に送るよう搬送部１８や入金搬送部１２８等を制御するようになっている（図１６のフローチャート参照）。
【００９７】
なお、本実施の形態による貨幣入出金機１やこのような貨幣入出金機１による貨幣処理方法は、上述したような態様に限定されることはなく、様々な変更を加えることができる。
【００９８】
例えば、本発明に係る貨幣処理装置は、紙幣入出金装置１０および硬貨入出金装置１１０を組み合わせた貨幣入出金機１に限定されることはない。本発明に係る貨幣処理装置として、紙幣入出金装置１０が単体で用いられてもよく、あるいは硬貨入出金装置１１０が単体で用いられてもよい。
【００９９】
また、上述した貨幣入出金機１および上位端末等の外部装置３１０を組み合わせることにより本発明に係る貨幣処理システムが構成されるようになっていてもよい。この場合には、上位端末等の外部装置３１０は、貨幣入出金機１の管理を行う管理装置として機能するようになる。また、上記の説明では、投入部１４や硬貨投入口１２１により筐体１２、１１２の内部に投入されたバラ紙幣やバラ硬貨の一部を帯封部４２や包装部１６０に送ることによりこれらの帯封部４２や包装部１６０において帯封紙幣や包装硬貨を作成させ、作成された帯封紙幣や包装硬貨を各帯封紙幣収納部７０や包装硬貨収納ユニット２００の各収納トレイ２４０に収納させ、また、残りのバラ紙幣やバラ硬貨を各バラ紙幣収納部３２や各収納繰出部１５２に収納させるよう制御部３００が紙幣入出金装置１０や硬貨入出金装置１１０の各構成部材（具体的には、搬送部１８や入金搬送部１２８等）を制御する態様について述べたが、本発明に係る貨幣処理システムでは、制御部３００が紙幣入出金装置１０や硬貨入出金装置１１０の各構成部材を制御する代わりに管理装置としての外部装置３１０から貨幣入出金機１の各構成部材に指令が直接送られることによりこのような動作が行われるようになっていてもよい。すなわち、投入部１４や入金繰出部１２０により筐体１２、１１２の内部に投入されたバラ紙幣やバラ硬貨の一部を帯封部４２や包装部１６０に送ることによりこれらの帯封部４２や包装部１６０において帯封紙幣や包装硬貨を作成させ、作成された帯封紙幣や包装硬貨を各帯封紙幣収納部７０や包装硬貨収納ユニット２００の各収納トレイ２４０に収納させ、また、残りのバラ紙幣やバラ硬貨を各バラ紙幣収納部３２や各収納繰出部１５２に収納させるよう紙幣入出金装置１０や硬貨入出金装置１１０の各構成部材（具体的には、搬送部１８や入金搬送部１２８等）を制御する制御部が管理装置としての外部装置３１０に設けられていてもよい。
【０１００】
また、所定の操作者に対して所定の端末（例えば、携帯電話やスマートフォン、タブレット端末等）が予め割り当てられており、帯封部４２や包装部１６０により作成されるべき帯封紙幣や包装硬貨の金種毎の数に係る情報を操作者はこのような端末により入力することができるようになっていてもよい。また、帯封紙幣収納部７０や包装硬貨収納ユニット２００の各収納トレイ２４０に収納されている金種毎の帯封紙幣や包装硬貨の数が設定収納数に満たない場合に両者の差に係る金種毎の帯封紙幣や包装硬貨の収納可能数がこのような操作者が所持する端末に表示されるようになっていてもよい。また、帯封部４２や包装部１６０により作成されるべき帯封紙幣や包装硬貨の金種毎の数に係る情報が受け付けられたときに、帯封紙幣収納部７０や包装硬貨収納ユニット２００の各収納トレイ２４０に収納されている金種毎の帯封紙幣や包装硬貨の数と、受付手段により受け付けられた情報における帯封紙幣や包装硬貨の金種毎の数との合計が設定収納数を超える場合に操作者が所持する端末に警告メッセージが表示されるようになっていてもよい。
【符号の説明】
【０１０１】
１        貨幣入出金機
１０      紙幣入出金装置
１２      筐体
１２ａ    下部扉
１３      引出ユニット
１４      投入部
１６      繰出部
１８      搬送部
２０      識別部
２２      表裏反転部
２４      バラ紙幣投出部
２４ａ    シャッター
２４ｂ    シャッター駆動部
２６      出金リジェクト部
３０      入金一時保留部
３０ａ    ステージ
３０ｂ    紙幣繰出繰入部
３２      バラ紙幣収納部
３２ａ    ステージ
３２ｂ    紙幣繰出繰入部
４０      整理一時保留部
４２      帯封部
４４      アーム機構
４６      帯封紙幣揚送部
４６ａ    ステージ
４８      帯封紙幣投出部
４８ａ    シャッター
４８ｂ    シャッター駆動部
５０      ロック機構
６０      帯封紙幣搬送部
６０ａ    突起
６０ｂ    循環ベルト
６２      判別部
７０      帯封紙幣収納部
７０ａ    ステージ
１１０    硬貨入出金装置
１１２    筐体
１１４    前扉
１１５    前扉
１２０    入金繰出部
１２１    硬貨投入口
１２２    供給円盤
１２４    回転円盤
１２６    繰出機構
１２８    入金搬送部
１２９    入金識別部
１３０    リジェクト選別部
１３１    入金リジェクト用シュート
１３４    任意選別部
１３６    金種別選別部
１３６ａ  ５円硬貨選別部
１３６ｂ  １円硬貨選別部
１３６ｃ  ５０円硬貨選別部
１３６ｄ  １００円硬貨選別部
１３６ｅ  １０円硬貨選別部
１３６ｆ  ５００円硬貨選別部
１３８    入金リジェクト部
１４０    入金一時保留部
１４２    任意一時保留部
１４４    金種別一時保留部
１４４ａ〜１４４ｆ  保留領域
１４５    第１駆動機構
１４６    底部材
１４７    第２駆動機構
１５０    排出部
１５０ａ  返却箱
１５２    収納繰出部
１５２ａ〜１５２ｆ  収納領域
１５２ｐ  硬貨繰出部
１５４    コンベア
１５５    出金識別部
１５６    出金リジェクト箱
１５７    包装用シュート
１５８    出金用シュート
１６０    包装部
１６２    回転円盤
１６３    コンベア
１６４    排出シュート
１６５    包装硬貨用シュート
１６７    横搬送部
１６８    包装機構
１６８ａ  包装ローラ
１６９    切換部材
１７０    シュート機構
１７２    上部シュート
１７４    貯留用シュート
１７４ａ  排出側開口
１７５    貯留袋
１７６    包装用シュート
１７８    分岐部材
１９０    出金箱
１９０ａ  取っ手
１９２    シャッタ部材
１９４    出金リジェクト用シュート
１９６    分岐部材
１９７    端数硬貨収納箱
１９８    バラ硬貨一括収納箱
２００    包装硬貨収納ユニット
２０４    ストッパ機構
２０４ａ  ストッパ部分
２１０    包装硬貨搬送ユニット
２１２    プーリ
２１４    循環ベルト
２１６    突起
２１８、２１９、２２０  分岐部材
２３０    包装硬貨出金部
２３２    包装硬貨一括収納箱
２３６    包装硬貨投出部
２３８    包装硬貨投出用シュート
２４０    収納トレイ
２５０    ロック機構
３００    制御部
３０２    操作表示部
３０４    印字部
３０６    記憶部
３０８    通信インターフェース部
３１０    外部装置
【図１】
2017102567.tif 000003
【図２】
2017102567.tif 000004
【図３】
2017102567.tif 000005
【図４】
2017102567.tif 000006
【図５】
2017102567.tif 000007
【図６】
2017102567.tif 000008
【図７】
2017102567.tif 000009
【図８】
2017102567.tif 000010
【図９】
2017102567.tif 000011
【図１０】
2017102567.tif 000012
【図１１】
2017102567.tif 000013
【図１２】
2017102567.tif 000014
【図１３】
2017102567.tif 000015
【図１４】
2017102567.tif 000016
【図１５】
2017102567.tif 000017
【図１６】
2017102567.tif 000018